(57)【要約】【課題】構造体の着脱作業が簡単且つ容易に行えるとともに、堅牢且つ強固に固定することができるクサビ式組立て構造を提供する。【解決手段】パネル２、支柱４に取り付けた挿入部材８を、棚部３に取り付けた受け部材９の受け孔９ａに下方から挿入し、挿入部材８に形成したクサビ状を有する一対の各係止部８ｂ，８ｂと、受け孔９ａに形成したクサビ状を有する一対の各係止溝９ｂ，９ｂを互いに係止し、挿入部材８と受け部材９とのテーパ面を互いに圧接して固定する。一方、パネル２、支柱４を下方に引き下げ、棚部３を上方に持ち上げて、挿入部材８を受け部材９の受け孔９ａから抜き取り、挿入部材８側のパネル２、支柱４と、受け部材９側の棚部３とを分離する。【選択図】  図３
2007040392.tif 000002
【特許請求の範囲】
【請求項１】
一方の構造体に取り付けた挿入部材を、他方の構造体に取り付けた受け部材の受け孔に下方から挿入して固定する組立て構造であって、
上記挿入部材の外面を下端側から上端側に向けて小さくなるテーパ形状に形成し、
上記挿入部材と合致する受け部材の受け孔内面を、上記挿入部材と対応して下端側から上端側に向けて小さくなるテーパ形状に形成し、
上記挿入部材の外面と上記受け部材の受け孔内面とを、該挿入部材が受け部材の受け孔に対して下方から挿入許容され、該挿入部材と受け部材とが水平方向に対して分離阻止されるクサビ形状に形成した
クサビ式組立て構造。
【請求項２】
上記挿入部材の外面と上記受け部材の受け孔内面とに、互いに係止されるクサビ状の係止部と係止溝とを形成し、
上記係止部及び係止溝を互いに挿入許容され、該係止部と係止溝とが水平方向に対して分離阻止される形状に形成した
請求項１に記載のクサビ式組立て構造。
【請求項３】
上記受け部材が取り付けられる構造体の縁部に、該受け部材が下方から挿入許容される支持孔を形成し、
上記支持孔近傍の構造体縁部に、上記受け部材が水平方向に対して着脱阻止される幅の切欠き部を上記支持孔と連通して上下方向に形成した
請求項１又は２に記載のクサビ式組立て構造。
【請求項４】
上記受け部材の側部に、上記挿入部材を取り付けた構造体が水平方向に対して着脱許容され、該挿入部材が水平方向に対して着脱阻止される切欠き部を上記受け孔と連通して上下方向に形成した
請求項１乃至３のいずれか一つに記載のクサビ式組立て構造。
【請求項５】
上記挿入部材と構造体との対向面に、互いに係止される孔部と突起とを形成するとともに、該孔部及び突起の少なくとも一方を構造体の外面に沿って長さ方向に対して所定等間隔に隔てて複数配列した
請求項１乃至４のいずれか一つに記載のクサビ式組立て構造。
【請求項６】
上記挿入部材が取り付けられた一方の構造体を、上記受け部材が取り付けられた他方の構造体の縁部よりも外側に突出した状態に固定した
請求項１乃至５のいずれか一つに記載のクサビ式組立て構造。
【請求項７】
上記受け部材の下端側外面に、上記支持孔の周縁部に係止されるフランジ部を形成した
請求項１乃至６のいずれか一つに記載のクサビ式組立て構造。
【請求項８】
上記受け部材のフランジ部と、該フランジ部に載置された構造体の下面側とを固定手段により一体的に固定した
請求項７に記載のクサビ式組立て構造。
【発明の詳細な説明】
【技術分野】
【０００１】
この発明は、例えば棚、ラック、テーブル、ボックス、あるいは、屋内外に設置される大型構造物等の構造物を組立てるのに用いられるクサビ式組立て構造に関する。
【背景技術】
【０００２】
従来、上述の組立て構造としては、例えば支柱外面に取り付けたスリーブに対して該支柱側方からカラーを装着した後、棚板角部に設けたホルダを、カラー側面に形成した凹部に支柱側方から嵌着し、ホルダの両端凸部をカラーの両側凹部にそれぞれ係合して、カラーの下端側に突出する突部にホルダを載置して組立てる特許文献１の組立て式の棚があるが、ホルダをカラー側面に対して着脱するとき、ホルダの両端部を弾性に抗して左右に拡張するが、ホルダを、カラーに対して側方及び上方から嵌着しても、ホルダを設けた棚板と、カラーを取り付けた支柱とに水平方向に向けて引っ張り応力が付与されたとき、ホルダの両端部が弾性に抗して左右に拡張されやすく、ホルダからカラーが外れることがあるため、棚の組立て状態を維持するのに十分な構造的強度が得られない。
【０００３】
他の組立て構造としては、例えば延長用パネルとコーナ用パネルとの対向縁部に固定した各縁金具の各突条部端面を互いに当接して締付け具により締付け固定し、その締付け具に嵌着した腕木上に棚板を載置する特許文献２の縁金具と締付け具を使用した組立てブースがあるが、各縁金具の各突条部に装着した締付け具の操作レバーを回動操作して、各縁金具の各突条部端面を互いに当接した状態に固定した後、締付け具に嵌着した腕木上に棚板を載置しなければならず、棚板の着脱する作業、高さを変更する作業に手間及び時間が掛かる。また、例えば摩耗や変形等により締付け具の締付け力が徐々に弱くなるため、組立て構造を維持するのに必要な強度が得られなくなる。
【０００４】
【特許文献１】特許第３４６９１６１号
【特許文献２】特開平９−３０２８１８号
【発明の開示】
【発明が解決しようとする課題】
【０００５】
この発明は上記問題に鑑み、構造体の着脱作業が簡単且つ容易に行えるとともに、堅牢且つ強固に固定することができるクサビ式組立て構造の提供を目的とする。
【課題を解決するための手段】
【０００６】
請求項１に記載した発明のクサビ式組立て構造は、一方の構造体に取り付けた挿入部材を、他方の構造体に取り付けた受け部材の受け孔に下方から挿入して固定する組立て構造であって、上記挿入部材の外面を下端側から上端側に向けて小さくなるテーパ形状に形成し、上記挿入部材と合致する受け部材の受け孔内面を、上記挿入部材と対応して下端側から上端側に向けて小さくなるテーパ形状に形成し、上記挿入部材の外面と上記受け部材の受け孔内面とを、該挿入部材が受け部材の受け孔に対して下方から挿入許容され、該挿入部材と受け部材とが水平方向に対して分離阻止されるクサビ形状に形成したことを特徴とする。
【０００７】
この発明によると、一方の構造体に取り付けた挿入部材を、他方の構造体の支持孔に取り付けた受け部材の受け孔に下方から挿入し、クサビ状に形成した挿入部材と受け部材とを互いに嵌合するとともに、構造体に付与される自然荷重又は構造体の重量により、挿入部材の外面と、受け部材の受け孔内面とのテーパ面を互いに圧接して一体的に固定する。また、一方の構造体を下方に引き下げ、他方の構造体を上方に持ち上げて、挿入部材を受け部材の受け孔から抜き取り、挿入部材側の構造体と、受け部材側の構造体とを分離する。
【０００８】
上記構造体は、例えばパネル、棚板、底板、天板、側板、或いは、中空や中実の支柱等で構成することができる。また、構造体及び挿入部材、受け部材は、例えば集成材、合板、木、金属、プラスチック等の単一又は複合した材質で構成することができる。
【０００９】
請求項２に記載した発明のクサビ式組立て構造は、上記請求項１に記載の構成と併せて、上記挿入部材の外面と上記受け部材の受け孔内面とに、互いに係止されるクサビ状の係止部と係止溝とを形成し、上記係止部及び係止溝を互いに挿入許容され、該係止部と係止溝とが水平方向に対して分離阻止される形状に形成したことを特徴とする。この発明によると、一方の構造体に取り付けた挿入部材を、他方の構造体に取り付けた受け部材の受け孔に下方から挿入する際に、挿入部材の外面と受け部材の受け孔内面とに形成したクサビ状の係止部と係止溝とを互いに係止して、水平方向に対して分離阻止される状態に抜止めする。
【００１０】
請求項３に記載した発明のクサビ式組立て構造は、上記請求項１又は２に記載の構成と併せて、上記受け部材が取り付けられる構造体の縁部に、該受け部材が下方から挿入許容される支持孔を形成し、上記支持孔近傍の構造体縁部に、上記受け部材が水平方向に対して着脱阻止される幅の切欠き部を上記支持孔と連通して上下方向に形成したことを特徴とする。この発明によると、受け部材を、構造体の縁部に形成した支持孔に対して下方から挿入し、挿入部材と受け部材とを水平方向に対して分離阻止される状態に抜止めする。
【００１１】
請求項４に記載した発明のクサビ式組立て構造は、上記請求項１乃至３のいずれか一つに記載の構成と併せて、上記受け部材の側部に、上記挿入部材を取り付けた構造体が水平方向に対して着脱許容され、該挿入部材が水平方向に対して着脱阻止される切欠き部を上記受け孔と連通して上下方向に形成したことを特徴とする。この発明によると、挿入部材よりも上方に突出する構造体を、受け部材の受け孔に対して切欠き部から水平方向に挿入するか、受け孔から水平方向に抜き取る等して、挿入部材と受け部材とを着脱する。
【００１２】
請求項５に記載した発明のクサビ式組立て構造は、上記請求項１乃至４のいずれか一つに記載の構成と併せて、上記挿入部材と構造体との対向面に、互いに係止される孔部と突起とを形成するとともに、該孔部及び突起の少なくとも一方を構造体外面に沿って長さ方向に対して所定等間隔に隔てて複数配列したことを特徴とする。この発明によると、挿入部材と構造体との対向面に形成した孔部及び突起を互いに係止して、構造体を、挿入部材が取り付けられた高さ位置に規制する。また、挿入部材の取付け位置を支柱上の所望する位置に変更して、構造体の取付け位置を段階的に高さ調節する。
【００１３】
請求項６に記載した発明のクサビ式組立て構造は、上記請求項１乃至５のいずれか一つに記載の構成と併せて、上記挿入部材が取り付けられた一方の構造体を、上記受け部材が取り付けられた他方の構造体の縁部よりも外側に突出した状態に固定したことを特徴とする。この発明によると、挿入部材が取り付けられた構造体が邪魔にならず、受け部材が取り付けられた構造体の上下面を有効に活用することができる。
【００１４】
請求項７に記載した発明のクサビ式組立て構造は、上記請求項１乃至６のいずれか一つに記載の構成と併せて、上記受け部材の下端側外面に、上記支持孔の周縁部に係止されるフランジ部を形成したことを特徴とする。この発明によると、受け部材のフランジ部を、構造体に形成した支持孔の周縁部に係止又は当接して、受け部材のフランジ部に載置される構造体を略水平に支持する。
【００１５】
請求項８に記載した発明のクサビ式組立て構造は、上記請求項７に記載の構成と併せて、上記受け部材のフランジ部と、該フランジ部に載置された構造体の下面側とを固定手段により一体的に固定したことを特徴とする。この発明によると、一方の構造体に取り付けた挿入部材を、他方の構造体に取り付けた受け部材の受け孔に下方から挿入するか、一方の構造体を、受け部材の受け孔に挿入する際に、構造体の支持孔から受け部材が脱落する心配がない。また、固定手段は、例えばビス、ボルト、釘、或いは、マグネット、接着剤、粘着剤等で構成することができる。
【発明の効果】
【００１６】
この発明によれば、一方の構造体に取り付けた挿入部材を、他方の構造体に取り付けた受け部材の受け孔に下方から挿入し、クサビ状に形成した挿入部材と受け部材とを互いに嵌合固定するので、一方の構造体と他方の構造体とに水平方向に対して引っ張り応力が付与されても、挿入部材が受け部材から水平方向に抜き取られることがなく、簡単な構造でありながら、堅牢且つ強固に固定することができる。
【００１７】
また、下位側構造体の高さを変更する場合、その構造体を上方に持ち上げれば、挿入部材を受け部材の受け孔から抜き取ることができるので、上位側構造体を分離するような手間及び作業が省け、構造体を着脱する作業、高さを変更する作業が簡単且つ容易に行える。
【００１８】
また、一方の構造体と他方の構造体との組み付け精度に多少の誤差が生じても、挿入部材と受け部材とのテーパ面を互いに嵌合すれば、ガタ付きの無い状態に固定することができる。且つ、精度誤差が吸収又は修正されるので、異なる素材の部材を組み合わせるのに最適である。
【発明を実施するための最良の形態】
【００１９】
この発明は、構造体の着脱作業が簡単且つ容易に行えるとともに、堅牢且つ強固に固定することができる目的を、一方の構造体に取り付けた挿入部材を、他方の構造体に取り付けた受け部材の受け孔に下方から挿入し、クサビ状に形成した挿入部材と受け部材とを互いに嵌合固定することで達成した。
【実施例】
【００２０】
この発明の一実施例を以下図面に基づいて詳述する。  
図面は、構造体の一例であるパネル、棚部を組み合わせてなる構造物の組立て作業に用いられる第１実施例のクサビ式組立て構造を示し、図１に於いて、第１実施例のクサビ式組立て構造は、構造物１を構成する左右一対の各パネル２，２に取り付けた各挿入部材８…を、例えば棚板、底板、天板等を構成する各棚部３…の両側縁部に取り付けた各受け部材９…に挿入固定して、工具類を使用せずに組立てるものである。実施例において、挿入部材８及び受け部材９は同一の材質で形成しているが、異なる材質で形成してもよい。
【００２１】
上記構造物１は、板状を有する２枚の各パネル２，２を、棚部３全長と対応する左右間隔に隔てて真上方向に向けて略垂直に立設し、各パネル２，２の上端側対向面及び下端側対向面に取り付けた各挿入部材８…を、底板用の棚部３と天板用の棚部３との両側縁部に取り付けた各受け部材９…に対して下方から嵌合固定し、底板用の棚部３と天板用の棚部３との間に架設される移動用の各棚部３…の両側縁部を、各パネル２，２の中央部対向面に取り付けた各棚受け部材１０…に載置して、底板用及び天板用、移動用の各棚部３…を略水平に架設している。
【００２２】
且つ、棚受け部材１０は、図２にも示すように、該部材の裏面側に突設した２本の各突起１０ａ，１０ａを、パネル２の垂直面に沿って上下方向に対して所定等間隔に隔てて配列した所望する位置の各孔部２ａ…に差込み固定して位置決めするので、各棚受け部材１０…の差込み位置を変更するだけで、移動用の各棚部３…を所望する高さ位置に上下移動することができる。
【００２３】
実施例では、挿入部材８を、パネル２の上端側垂直面及び下端側垂直面に対して２本の各ビス１３，１３で固定するが、例えばボルトや釘、接着剤等の固定手段で固定してもよい。また、棚受け部材１０と同様にして、挿入部材８の裏面側に突設した突起を、パネル２の各孔部２ａ…に差込み固定してもよい。
【００２４】
前記挿入部材８は、図３、図４にも示すように、後述する受け部材９の受け孔９ａと合致する大きさ及び形状に形成され、受け孔９ａ内面と対応して下端側から上端側に向けて徐々に小さくなる又は厚みが薄くなるテーパ形状に形成している。また、受け孔９ａに対して下方から挿入許容されるとともに、水平方向（又は側方）に対して着脱阻止される形状に形成している。
【００２５】
また、挿入部材８の両側部に、受け部材９に形成した一対の各係止溝９ｂ，９ｂに対して下方から挿入許容され、該挿入部材８が水平方向に対して分離阻止される平面から見てクサビ状を有する一対の各係止部８ｂ，８ｂを形成するとともに、各係止部８ｂ，８ｂを、下端側から上端側に向けて徐々に小さく又は厚みが薄くなるテーパ形状に形成している。
【００２６】
前記受け部材９は、棚部３の一側縁部に形成した平面から見て略半円形状の支持孔３ａと合致する大きさ及び形状に形成され、支持孔３ａに対して下方から挿入許容されるとともに、水平方向（又は側方）に対して着脱阻止される形状に形成している。
【００２７】
また、支持孔３ａ近傍の縁部に形成した切欠き部３ｂは、後述するパイプ状の支柱４が水平方向（又は側方）に対して着脱許容され、受け部材９が水平方向（又は側方）に対して着脱阻止される幅に上記支持孔３ａと連通して上下方向に切欠き形成している。
【００２８】
且つ、受け部材９に形成した受け孔９ａ内面は、上記挿入部材８の外面と対応して下端側から上端側に向けて徐々に幅が狭くなるテーパ形状に形成している。また、上記挿入部材８が下方から挿入許容され、該挿入部材８が水平方向に対して分離阻止される形状に形成している。
【００２９】
また、受け孔９ａの両側部内面に、挿入部材８に形成した一対の各係止部８ｂ，８ｂが下方から挿入許容され、該挿入部材８が水平方向に対して分離阻止される平面から見てクサビ状を有する一対の各係止溝９ｂ，９ｂを形成するとともに、各係止溝９ｂ，９ｂを、各係止部８ｂ，８ｂと対応して下端側から上端側に向けて徐々に幅が狭くなるテーパ形状に形成している。
【００３０】
また、棚部３の切欠き部３ｂと対応する受け部材９の側部には、上記挿入部材８が上下方向（又は垂直方向）に対して挿入許容され、該挿入部材８が水平方向（又は側方）に対して着脱阻止される幅の切欠き部９ｃを、上記受け孔９ａと連通して上下方向に切欠き形成している。
【００３１】
また、受け孔９ａ内部に設けた抜止め機構１１は、受け孔９ａ中央面に固定した板バネ１２の下端部を、受け孔９ａに挿入された挿入部材８の下端側縁部に係止して抜止めする。なお、板バネ１２の下端部を、バネ自体の復元力に抗して挿入部材８の下端側縁部から離脱すれば係止解除され、挿入部材８と受け部材９との分離が許容される。
【００３２】
また、受け部材９の下端側外面に沿って円周方向に連続して形成した鍔状のフランジ部９Ａは、棚部３に形成した支持孔３ａの下面側周縁部に対して複数本の各ビス１３…で固定され、挿入部材８を受け部材９の受け孔９ａに挿入するか、後述する支柱４を受け部材９の受け孔９ａに挿入する際に、棚部３の支持孔３ａから受け部材９が脱落しない。なお、フランジ部９Ａは、受け部材９の下端側外周部に沿って円周方向に対して所定間隔に隔てて部分的に形成してもよい。
【００３３】
図示実施例は上記の如く構成するものにして、以下、上記クサビ式組立て構造による構造物１の組立て方法を説明する。
【００３４】
先ず、図３、図４にも示すように、一対の各挿入部材８，８を、構造物１を構成する各パネル２，２の上端側対向縁部及び下端側対向縁部に固定し、各受け部材９…を、底板用棚部３及び天板用棚部３に形成した各支持孔３ａ…に下方から挿入して、棚部３に形成した支持孔３ａの切欠き部３ｂと、受け部材９に形成した受け孔９ａの切欠き部９ｃとを一致させるとともに、棚部３の上面と受け部材９の上端面とが略水平又は同一高さとなるように固定する。
【００３５】
次に、２枚の各パネル２，２を、棚部３全長と対応する左右間隔に隔てて真上方向に向けて略垂直に立設し、各パネル２，２の上下縁部に取り付けた各挿入部材８…を、底板用棚部３及び天板用棚部３に取り付けた各受け部材９…に対して下方から挿入して、各挿入部材８…の上端面と各受け部材９…の上端面とが略水平又は同一高さとなるように固定する。
【００３６】
且つ、挿入部材８に形成したクサビ状を有する一対の各係止部８ｂ，８ｂを、受け孔９ａに形成したクサビ状を有する一対の各係止溝９ｂ，９ｂに下方から挿入して係止し、挿入部材８と受け部材９とを水平方向に対して分離阻止される状態に合致固定する。また、移動用の各棚部３…を、図２にも示すように、各パネル２，２の中央部対向面に取り付けた左右一対の各棚受け部材１０…に対して略水平に載置すれば、図１に示す構造物１の組立て作業が完了する。
【００３７】
一方、パネル２を下方に引き下げ、棚部３を上方に持ち上げて、挿入部材８を受け部材９の受け孔９ａから抜き取れば、挿入部材８側のパネル２と、受け部材９側の棚部３とを分離することができる。
【００３８】
以上のように、一方のパネル２に取り付けた挿入部材８を、他方の棚部３に取り付けた受け部材９の受け孔９ａに下方から挿入し、挿入部材８に形成したクサビ状を有する一対の各係止部８ｂ，８ｂと、受け孔９ａに形成したクサビ状を有する一対の各係止溝９ｂ，９ｂとを互いに係止して嵌合固定するので、パネル２と棚部３とに水平方向に対して引っ張り応力が付与されても、挿入部材８が受け部材９から水平方向に抜き取られることがなく、簡単な構造でありながら、堅牢且つ強固に固定することができる。且つ、挿入部材８と受け部材９とを同一の材質で形成しているので、収縮率及び膨張率が同じであり、挿入部材８と受け部材９との間に隙間が生じにくく、ガタ付きの無い状態に固定することができる。
【００３９】
また、挿入部材８と受け部材９との組み付け精度に多少の誤差が生じても、挿入部材８と受け部材９とのテーパ面を互いに嵌合すれば、ガタ付きの無い状態に固定することができる。且つ、精度誤差が吸収又は修正されるので、異なる素材の部材を組み合わせるのに最適である。
【００４０】
図５は、パネル２と棚部３とを固定する第２実施例のクサビ式組立て構造を示し、パネル２に取り付けた挿入部材８を、棚部３に取り付けた受け部材９の受け孔９ａに下方から挿入して、挿入部材８の両側端部を内側に折曲げて形成した一対の各係止部８ｂ，８ｂを、該挿入部材８と合致する大きさ及び形状に形成した受け孔９ａの一対の各係止溝９ｂ，９ｂに係止するので、前記第１実施例と同等の作用及び効果を奏することができる。
【００４１】
図６、図７は、パネル２と棚部３とを固定する第３実施例のクサビ式組立て構造を示し、中央部が凹状に形成された挿入部材８を、パネル２の垂直面に対して各ビス１３…で固定し、平面から見て略矩形に形成した受け部材９を、該受け部材９と合致する大きさ及び形状に形成した略矩形を有する棚部３の支持孔３ａに下方から挿入し、受け部材９の下端側後部外面に形成したフランジ部９Ａを、フランジ部９Ａに載置された棚部３下面に係止又は当接して各ビス１３…で固定し、フランジ部９Ａに突設した例えばタボ、ピン等の突起９Ｂを、棚部３下面に形成した例えば孔部や凹部等に差込み固定して、フランジ部９Ａに載置される棚部３を略水平に支持する。
【００４２】
次に、パネル２に取り付けた挿入部材８を、棚部３に取り付けた受け部材９の受け孔９ａに下方から挿入して、挿入部材８に形成した一対の各係止部８ｂ，８ｂを、受け部材９に形成した一対の各係止溝９ｂ，９ｂに係止するので、前記第１実施例と同等の作用及び効果を奏することができる。なお、第３実施例の受け部材９は、図１２に示すパイプ状の支柱４を固定する構造としても用いることができる。
【００４３】
図８、図９は、棚部３と支柱４とを固定する第４実施例のクサビ式組立て構造を示し、挿入部材８の受け面８ｅに突設した２本の各突起８ｄ，８ｄを、支柱４の外周面に沿って長さ方向に対して所定等間隔に隔てて形成した各孔部４ａ…に差込み固定して、挿入部材８を支柱４上の所望する高さ位置に取付けた後、挿入部材８よりも上方に突出する支柱４を、棚部３に取り付けた受け部材９の受け孔９ａに対して略水平方向から挿入し、受け部材９に形成した受け面９ｅにより支柱４を保持した後、支柱４に取り付けた挿入部材８を、棚部３に取り付けた受け部材９の受け孔９ａに下方から挿入して、挿入部材８に形成した一対の各係止部８ｂ，８ｂを、受け部材９に形成した一対の各係止溝９ｂ，９ｂに係止するので、前記第１実施例と同等の作用及び効果を奏することができる。
【００４４】
なお、受け部材９の切欠き部９ｃは、支柱４が水平方向（又は側方）に対して着脱許容され、上記挿入部材８が水平方向（又は側方）に対して着脱阻止される幅に上記受け孔９ａと連通して上下方向に切欠き形成している。また、挿入部材８を支柱４に対してビス等で固定してもよい。また、アジャスト機能付き支柱４の上端はキャップで閉塞され、支柱４の下端は接地部材で閉塞している。
【００４５】
図１０は、棚部３と支柱４とを固定する第５実施例のクサビ式組立て構造を示し、挿入部材８の受け面８ｅに突設した２本の各突起８ｄ，８ｄを支柱４の各孔部４ａ…に差込み固定し、支柱４に取り付けた挿入部材８を、棚部３に取り付けた受け部材９の受け孔９ａに下方から挿入して、挿入部材８に形成したクサビ状を有する一対の各係止溝８ｆ，８ｆと、受け部材９に形成したクサビ状を有する一対の各係止部９ｆ，９ｆとを互いに係止するので、前記第１実施例と同等の作用及び効果を奏することができる。
【００４６】
図１１は、棚部３と支柱４とを２つ割り可能に設けた挿入部材８を用いて固定する第６実施例のクサビ式組立て構造を示し、挿入部材８を構成する後部分割部材８ａを支柱４の後部外周面に装着して、後部分割部材８ａの受け面８ｅに形成した各突起８ｄ…を支柱４の各孔部４ａ…に差込み固定した後、前部分割部材８ａを支柱４の前部外周面に装着して、各分割部材８ａ，８ａの対向端部（例えば段部、突起、溝部等）を互いに係合して合致固定する。また、支柱４に取り付けた挿入部材８を、棚部３に取り付けた受け部材９の受け孔９ａに下方から挿入して、挿入部材８に形成した一対の各係止溝８ｆ，８ｆと、受け部材９に形成した一対の各係止部９ｆ，９ｆとを互いに係止するので、前記第１実施例と同等の作用及び効果を奏することができる。
【００４７】
なお、前部分割部材８ａを、後部分割部材８ａと同様にして支柱４外周面に取付けてもよい。また、第４乃至第６実施例のクサビ式組立て構造は、挿入部材８をパネル２に固定することにより、パネル２と棚部３とを固定する構造としても用いることができる。この場合、支柱４と対応する孔部が挿入部材８と受け部材９との間に形成されるが、その孔部をキャップや蓋等の閉塞部材で閉塞するとよい。
【００４８】
図１２は、支柱４を、棚部３の一側縁部よりも外側に突出した状態に固定する第７実施例のクサビ式組立て構造を示し、平面から見て略Ｕ字状を有する挿入部材８の湾曲側受け面８ｅに突設した２本の各突起８ｄ，８ｄを支柱４の各孔部４ａ…に差込み固定し、支柱４に取り付けた挿入部材８を、棚部３に取り付けた受け部材９の受け孔９ａに下方から挿入して、挿入部材８に形成した一対の各係止部８ｂ，８ｂを、受け部材９に形成した一対の各係止溝９ｂ，９ｂに係止するので、前記第１実施例と同等の作用及び効果を奏することができる。また、支柱４が固定される挿入部材８の湾曲部を、棚部３の縁部よりも外側に突出するように設けているので、上記挿入部材８と受け部材９とを嵌合固定すれば、挿入部材８が取り付けられた支柱４が邪魔にならず、受け部材９が取り付けられた棚部３の上下面を有効に活用することができる。
【００４９】
図１３、図１４は、平面から見てクサビ形状を有する挿入部材８を、該挿入部材８と合致する大きさ及び形状に形成した受け部材９の受け孔９ａに挿入固定する第８実施例のクサビ式組立て構造を示し、側面から見て略円錐台形状に形成した挿入部材８の外周面と、受け部材９の受け孔９ａ内周面とを下端側大径部から上端側小径部に向けて徐々に径が小さくなるテーパ面に形成しているので、パネル２に取り付けた挿入部材８を、棚部３に取り付けた受け部材９の受け孔９ａに下方から挿入すれば、挿入部材８と受け部材９とのテーパ面が互いに圧接され、ガタ付きの無い状態に固定されるので、前記第１実施例と同等の作用及び効果を奏することができる。
【００５０】
図１５は、第１及び第４実施例のクサビ式組立て構造を用いて、１枚のパネル２と、複数の各棚部３…及び各支柱４…とを組み合わせてなる構造物１の他の組立て例を示し、パネル２に取り付けた各挿入部材８…を、各棚部３…の一側縁部に取り付けた各受け部材９…に下方から挿入固定し、２本の各支柱４…に取り付けた各挿入部材８…を、各棚部３…の他側縁部に取り付けた各受け部材９…に下方から挿入固定すれば、図１４に示す構造物１の組立て作業が完了するので、前記１実施例と同等の作用及び効果を奏することができる。また、第２及び第３実施例と、第５乃至第８実施例のクサビ式組立て構造を用いることもできる。
【００５１】
また、下位側に架設した移動用棚部３の高さを変更する場合、その棚部３を上方に持ち上げれば、挿入部材８を受け部材９の受け孔９ａから抜き取ることができるので、上位側に架設した棚部３を支柱４，４の間から抜き取るような手間及び作業が省け、棚部３を着脱する作業、高さを変更する作業が簡単且つ容易に行える。
【００５２】
図１６は、第４実施例のクサビ式組立て構造を用いて、複数の各棚部３…及び各支柱４…を組み合わせてなる構造物１のその他の組立て例を示し、４本の各支柱４…に取り付けた各挿入部材８…を、各棚部３…の両側縁部に取り付けた各受け部材９…に下方から挿入固定すれば、図１５に示す構造物１の組立て作業が完了するので、前記１実施例と同等の作用及び効果を奏することができる。
【００５３】
また、構造物１の下端部にストッパー機能付きキャスターを取り付けて、所望する方向（例えば略３６０度）に走行移動可能に設けるか、キャスターを取り付けず、構造物１を所望する場所に直接設置等してもよい。また、第５乃至第７実施例のクサビ式組立て構造を用いることもできる。
【００５４】
この発明の構成と、上述の実施例との対応において、  
この発明の構造体は、実施例のパネル２と、棚部３と、支柱４とに対応し、  
以下同様に、  
固定手段は、ビス１３に対応するも、  
この発明は、上述の実施例の構成のみに限定されるものではなく、請求項に示される技術思想に基づいて応用することができ、多くの実施の形態を得ることができる。
【００５５】
前記支柱４は、例えば丸形、四角形、五角形、六角形、楕円形等の水平断面形状を有するもので構成することができる。
【００５６】
なお、本発明を構成するクサビは、挿入部材８に形成した一対の各係止部８ｂ，８ｂ及び各係止溝８ｆ，８ｆと、受け部材９に形成した一対の各係止溝９ｂ，９ｂ及び各係止部９ｆ，９ｆとを係止する構造と、平面から見てクサビ形状を有する挿入部材８と、該挿入部材８と合致する大きさ及び形状に形成した受け部材９の受け孔９ａとを係止する構造とに対応する。
【図面の簡単な説明】
【００５７】
【図１】複数の各パネルからなる構造体の組立て状態を示す斜視図。
【図２】棚受け部材の取付け状態を示す断面図。
【図３】第１実施例の挿入部材と受け部材との組付け方法を示す斜視図。
【図４】挿入部材と受け部材との組付け状態を示す平面図。
【図５】第２実施例の挿入部材と受け部材との組付け方法を示す斜視図。
【図６】第３実施例の挿入部材と受け部材との組付け方法を示す斜視図。
【図７】図６の挿入部材と受け部材との組付け状態を示す平面図。
【図８】第４実施例のクサビ式組立て構造を示す斜視図。
【図９】図８の挿入部材と受け部材との組付け状態を示す平面図。
【図１０】第５実施例のクサビ式組立て構造を示す平面図。
【図１１】第６実施例のクサビ式組立て構造を示す平面図。
【図１２】第７実施例のクサビ式組立て構造を示す平面図。
【図１３】第８実施例のクサビ式組立て構造を示す斜視図。
【図１４】図１３の挿入部材と受け部材との組付け状態を示す平面図。
【図１５】パネル、棚部、支柱からなる構造物の他の組立て例を示す斜視図。
【図１６】棚部、支柱からなる構造物のその他の組立て例を示す斜視図。
【符号の説明】
【００５８】
１…構造物
２…パネル
２ａ…孔部
３…棚部
３ａ…支持孔
３ｂ…切欠き部
４…支柱
４ａ…孔部
８…挿入部材
８ａ…分割部材
８ｂ…係止部
８ｄ…突起
８ｆ…係止溝
９…受け部材
９ａ…受け孔
９ｂ…係止溝
９ｃ…切欠き部
９ｆ…係止部
９Ａ…フランジ部
【図１】
2007040392.tif 000003
【図２】
2007040392.tif 000004
【図３】
2007040392.tif 000005
【図４】
2007040392.tif 000006
【図５】
2007040392.tif 000007
【図６】
2007040392.tif 000008
【図７】
2007040392.tif 000009
【図８】
2007040392.tif 000010
【図９】
2007040392.tif 000011
【図１０】
2007040392.tif 000012
【図１１】
2007040392.tif 000013
【図１２】
2007040392.tif 000014
【図１３】
2007040392.tif 000015
【図１４】
2007040392.tif 000016
【図１５】
2007040392.tif 000017
【図１６】
2007040392.tif 000018
【手続補正書】
【提出日】平成17年11月24日(2005.11.24)
【手続補正１】
【補正対象書類名】特許請求の範囲
【補正対象項目名】全文
【補正方法】変更
【補正の内容】
【特許請求の範囲】
【請求項１】
一方の構造体に取り付けた挿入部材を、他方の構造体に取り付けた受け部材の受け孔に下方から挿入して固定する組立て構造であって、
上記一方の構造体に取り付けた挿入部材の外面と、上記他方の構造体縁部に形成した支持孔に取り付けた受け部材の受け孔内面とを、上記挿入部材が受け部材の受け孔に対して下方から挿入許容され、該挿入部材と受け部材とが水平方向に対して分離阻止される合致する形状に形成し、
上記挿入部材の両側部外面と上記受け部材の受け孔の両側部内面とに、一方の部材の両側端部を平面視略Ｌ字状に折り曲げてなる一対の各係止部と、該各係止部が係止される一対の各係止溝とをそれぞれ形成し、
上記一対の各係止部と一対の各係止溝とを、該係止部が係止溝に対して下方から挿入許容され、該係止部と係止溝とが水平方向に対して分離阻止される形状に形成するとともに、該係止部と係止溝とを下端側から上端側に向けて徐々に幅狭となるテーパ形状に形成した
クサビ式組立て構造。
【請求項２】
上記挿入部材の外面を下端側から上端側に向けて小さくなるテーパ形状に形成し、
上記挿入部材と合致する受け部材の受け孔内面を、上記挿入部材と対応して下端側から上端側に向けて小さくなるテーパ形状に形成した
請求項１に記載のクサビ式組立て構造。
【請求項３】
上記受け部材が取り付けられる上記構造体の支持孔を、上記受け部材が下方から挿入許容され、該受け部材が水平方向に対して着脱阻止される大きさ及び形状に形成し、
上記支持孔近傍の構造体縁部に、上記挿入部材を取り付けた支柱が水平方向に対して着脱許容され、上記受け部材が水平方向に対して着脱阻止される幅の切欠き部を上記支持孔と連通して上下方向に形成した
請求項１又は２に記載のクサビ式組立て構造。
【請求項４】
上記構造体縁部と対応する受け部材の側部に、上記挿入部材を取り付けた支柱が水平方向に対して着脱許容され、該挿入部材が水平方向に対して着脱阻止される幅の切欠き部を上記受け孔と連通して上下方向に形成した
請求項１乃至３のいずれか一つに記載のクサビ式組立て構造。
【請求項５】
上記挿入部材と構造体との対向面に、互いに係止される孔部と突起とを形成するとともに、該孔部及び突起の少なくとも一方を構造体の外面に沿って長さ方向に対して所定等間隔に隔てて複数配列した
請求項１乃至４のいずれか一つに記載のクサビ式組立て構造。
【請求項６】
上記挿入部材が取り付けられた一方の構造体を、上記受け部材が取り付けられた他方の構造体の縁部よりも外側に突出した状態に固定した
請求項１乃至５のいずれか一つに記載のクサビ式組立て構造。
【請求項７】
上記受け部材の下端側外面に、上記支持孔の周縁部に係止されるフランジ部を形成した
請求項１乃至６のいずれか一つに記載のクサビ式組立て構造。
【請求項８】
上記受け部材のフランジ部と、該フランジ部に載置された構造体の下面側とを固定手段により一体的に固定した
請求項７に記載のクサビ式組立て構造。
【手続補正２】
【補正対象書類名】明細書
【補正対象項目名】全文
【補正方法】変更
【補正の内容】
【発明の詳細な説明】
【技術分野】
【０００１】
この発明は、例えば棚、ラック、テーブル、ボックス、あるいは、屋内外に設置される大型構造物等の構造物を組立てるのに用いられるクサビ式組立て構造に関する。
【背景技術】
【０００２】
従来、上述の組立て構造としては、例えば支柱外面に取り付けたスリーブに対して該支柱側方からカラーを装着した後、棚板角部に設けたホルダを、カラー側面に形成した凹部に支柱側方から嵌着し、ホルダの両端凸部をカラーの両側凹部にそれぞれ係合して、カラーの下端側に突出する突部にホルダを載置して組立てる特許文献１の組立て式の棚があるが、ホルダをカラー側面に対して着脱するとき、ホルダの両端部を弾性に抗して左右に拡張するが、ホルダを、カラーに対して側方及び上方から嵌着しても、ホルダを設けた棚板と、カラーを取り付けた支柱とに水平方向に向けて引っ張り応力が付与されたとき、ホルダの両端部が弾性に抗して左右に拡張されやすく、ホルダからカラーが外れることがあるため、棚の組立て状態を維持するのに十分な構造的強度が得られない。
【０００３】
他の組立て構造としては、例えば延長用パネルとコーナ用パネルとの対向縁部に固定した各縁金具の各突条部端面を互いに当接して締付け具により締付け固定し、その締付け具に嵌着した腕木上に棚板を載置する特許文献２の縁金具と締付け具を使用した組立てブースがあるが、各縁金具の各突条部に装着した締付け具の操作レバーを回動操作して、各縁金具の各突条部端面を互いに当接した状態に固定した後、締付け具に嵌着した腕木上に棚板を載置しなければならず、棚板の着脱する作業、高さを変更する作業に手間及び時間が掛かる。また、例えば摩耗や変形等により締付け具の締付け力が徐々に弱くなるため、組立て構造を維持するのに必要な強度が得られなくなる。
【０００４】
【特許文献１】特許第３４６９１６１号
【特許文献２】特開平９−３０２８１８号
【発明の開示】
【発明が解決しようとする課題】
【０００５】
この発明は上記問題に鑑み、構造体の着脱作業が簡単且つ容易に行えるとともに、堅牢且つ強固に固定することができるクサビ式組立て構造の提供を目的とする。
【課題を解決するための手段】
【０００６】
請求項１に記載した発明のクサビ式組立て構造は、一方の構造体に取り付けた挿入部材を、他方の構造体に取り付けた受け部材の受け孔に下方から挿入して固定する組立て構造であって、上記一方の構造体に取り付けた挿入部材の外面と、上記他方の構造体縁部に形成した支持孔に取り付けた受け部材の受け孔内面とを、上記挿入部材が受け部材の受け孔に対して下方から挿入許容され、該挿入部材と受け部材とが水平方向に対して分離阻止される合致する形状に形成し、上記挿入部材の両側部外面と上記受け部材の受け孔の両側部内面とに、一方の部材の両側端部を平面視略Ｌ字状に折り曲げてなる一対の各係止部と、該各係止部が係止される一対の各係止溝とをそれぞれ形成し、上記一対の各係止部と一対の各係止溝とを、該係止部が係止溝に対して下方から挿入許容され、該係止部と係止溝とが水平方向に対して分離阻止される形状に形成するとともに、該係止部と係止溝とを下端側から上端側に向けて徐々に幅狭となるテーパ形状に形成したことを特徴とする。
【０００７】
この発明によると、一方の構造体に取り付けた挿入部材を、他方の構造体に取り付けた受け部材の受け孔に対して下方から挿入するとともに、挿入部材又は受け部材のいずれか一方の部材の両側端部を平面視略Ｌ字状に折り曲げてなる一対の各係止部と、各係止部と対応して他方の部材に形成した一対の各係止溝とを互いに係止して、水平方向に対して分離阻止される状態に抜止めする。また、構造体に付与される自然荷重又は構造体の重量により、各係止部外面と各係止溝内面とのテーパ面を互いに圧接して一体的に固定する。また、一方の構造体を下方に引き下げ、他方の構造体を上方に持ち上げて、挿入部材の各係止部を受け部材の各係止溝から抜き取り、挿入部材側の構造体と、受け部材側の構造体とを分離する。
【０００８】
上記構造体は、例えばパネル、棚板、底板、天板、側板、或いは、中空や中実の支柱等で構成することができる。また、構造体及び挿入部材、受け部材は、例えば集成材、合板、木、金属、プラスチック等の単一又は複合した材質で構成することができる。
【０００９】
請求項２に記載した発明のクサビ式組立て構造は、上記請求項１に記載の構成と併せて、上記挿入部材の外面を下端側から上端側に向けて小さくなるテーパ形状に形成し、上記挿入部材と合致する受け部材の受け孔内面を、上記挿入部材と対応して下端側から上端側に向けて小さくなるテーパ形状に形成したことを特徴とする。この発明によると、一方の構造体に取り付けた挿入部材を、他方の構造体の支持孔に取り付けた受け部材の受け孔に下方から挿入して、挿入部材と受け部材とを互いに嵌合するとともに、構造体に付与される自然荷重又は構造体の重量により、挿入部材の外面と、受け部材の受け孔内面とのテーパ面を互いに圧接して一体的に固定する。また、一方の構造体を下方に引き下げ、他方の構造体を上方に持ち上げて、挿入部材を受け部材の受け孔から抜き取り、挿入部材側の構造体と、受け部材側の構造体とを分離する。
【００１０】
請求項３に記載した発明のクサビ式組立て構造は、上記請求項１又は２に記載の構成と併せて、上記受け部材が取り付けられる上記支持孔を、上記受け部材が下方から挿入許容され、該受け部材が水平方向に対して着脱阻止される大きさ及び形状に形成し、上記支持孔近傍の構造体縁部に、上記挿入部材を取り付けた支柱が水平方向に対して着脱許容され、上記受け部材が水平方向に対して着脱阻止される幅の切欠き部を上記支持孔と連通して上下方向に形成したことを特徴とする。この発明によると、受け部材を、構造体の縁部に形成した支持孔に対して下方から挿入し、挿入部材と受け部材とを水平方向に対して分離阻止される状態に抜止めする。
【００１１】
請求項４に記載した発明のクサビ式組立て構造は、上記請求項１乃至３のいずれか一つに記載の構成と併せて、上記構造体縁部と対応する受け部材の側部に、上記挿入部材を取り付けた支柱が水平方向に対して着脱許容され、該挿入部材が水平方向に対して着脱阻止される幅の切欠き部を上記受け孔と連通して上下方向に形成したことを特徴とする。この発明によると、挿入部材よりも上方に突出する支柱を、受け部材の受け孔に対して切欠き部から水平方向に挿入するか、受け孔から水平方向に抜き取る等して、挿入部材と受け部材とを着脱する。
【００１２】
請求項５に記載した発明のクサビ式組立て構造は、上記請求項１乃至４のいずれか一つに記載の構成と併せて、上記挿入部材と構造体との対向面に、互いに係止される孔部と突起とを形成するとともに、該孔部及び突起の少なくとも一方を構造体外面に沿って長さ方向に対して所定等間隔に隔てて複数配列したことを特徴とする。この発明によると、挿入部材と構造体との対向面に形成した孔部及び突起を互いに係止して、構造体を、挿入部材が取り付けられた高さ位置に規制する。また、挿入部材の取付け位置を支柱上の所望する位置に変更して、構造体の取付け位置を段階的に高さ調節する。
【００１３】
請求項６に記載した発明のクサビ式組立て構造は、上記請求項１乃至５のいずれか一つに記載の構成と併せて、上記挿入部材が取り付けられた一方の構造体を、上記受け部材が取り付けられた他方の構造体の縁部よりも外側に突出した状態に固定したことを特徴とする。この発明によると、挿入部材が取り付けられた構造体が邪魔にならず、受け部材が取り付けられた構造体の上下面を有効に活用することができる。
【００１４】
請求項７に記載した発明のクサビ式組立て構造は、上記請求項１乃至６のいずれか一つに記載の構成と併せて、上記受け部材の下端側外面に、上記支持孔の周縁部に係止されるフランジ部を形成したことを特徴とする。この発明によると、受け部材のフランジ部を、構造体に形成した支持孔の周縁部に係止又は当接して、受け部材のフランジ部に載置される構造体を略水平に支持する。
【００１５】
請求項８に記載した発明のクサビ式組立て構造は、上記請求項７に記載の構成と併せて、上記受け部材のフランジ部と、該フランジ部に載置された構造体の下面側とを固定手段により一体的に固定したことを特徴とする。この発明によると、一方の構造体に取り付けた挿入部材を、他方の構造体に取り付けた受け部材の受け孔に下方から挿入するか、一方の構造体を、受け部材の受け孔に挿入する際に、構造体の支持孔から受け部材が脱落する心配がない。また、固定手段は、例えばビス、ボルト、釘、或いは、マグネット、接着剤、粘着剤等で構成することができる。
【発明の効果】
【００１６】
この発明によれば、一方の構造体に取り付けた挿入部材を、他方の構造体に取り付けた受け部材の受け孔に下方から挿入し、クサビ状に形成した挿入部材と受け部材とを互いに嵌合固定するので、一方の構造体と他方の構造体とに水平方向に対して引っ張り応力が付与されても、挿入部材が受け部材から水平方向に抜き取られることがなく、簡単な構造でありながら、堅牢且つ強固に固定することができる。
【００１７】
また、下位側構造体の高さを変更する場合、その構造体を上方に持ち上げれば、挿入部材を受け部材の受け孔から抜き取ることができるので、上位側構造体を分離するような手間及び作業が省け、構造体を着脱する作業、高さを変更する作業が簡単且つ容易に行える。
【００１８】
また、一方の構造体と他方の構造体との組み付け精度に多少の誤差が生じても、挿入部材と受け部材とのテーパ面を互いに嵌合すれば、ガタ付きの無い状態に固定することができる。且つ、精度誤差が吸収又は修正されるので、異なる素材の部材を組み合わせるのに最適である。
【発明を実施するための最良の形態】
【００１９】
この発明は、構造体の着脱作業が簡単且つ容易に行えるとともに、堅牢且つ強固に固定することができる目的を、一方の構造体に取り付けた挿入部材を、他方の構造体に取り付けた受け部材の受け孔に下方から挿入し、クサビ状に形成した挿入部材と受け部材とを互いに嵌合固定することで達成した。
【実施例】
【００２０】
この発明の一実施例を以下図面に基づいて詳述する。  
図面は、構造体の一例であるパネル、棚部を組み合わせてなる構造物の組立て作業に用いられる第１実施例のクサビ式組立て構造を示し、図１に於いて、第１実施例のクサビ式組立て構造は、構造物１を構成する左右一対の各パネル２，２に取り付けた各挿入部材８…を、例えば棚板、底板、天板等を構成する各棚部３…の両側縁部に取り付けた各受け部材９…に挿入固定して、工具類を使用せずに組立てるものである。実施例において、挿入部材８及び受け部材９は同一の材質で形成しているが、異なる材質で形成してもよい。
【００２１】
上記構造物１は、板状を有する２枚の各パネル２，２を、棚部３全長と対応する左右間隔に隔てて真上方向に向けて略垂直に立設し、各パネル２，２の上端側対向面及び下端側対向面に取り付けた各挿入部材８…を、底板用の棚部３と天板用の棚部３との両側縁部に取り付けた各受け部材９…に対して下方から嵌合固定し、底板用の棚部３と天板用の棚部３との間に架設される移動用の各棚部３…の両側縁部を、各パネル２，２の中央部対向面に取り付けた各棚受け部材１０…に載置して、底板用及び天板用、移動用の各棚部３…を略水平に架設している。
【００２２】
且つ、棚受け部材１０は、図２にも示すように、該部材の裏面側に突設した２本の各突起１０ａ，１０ａを、パネル２の垂直面に沿って上下方向に対して所定等間隔に隔てて配列した所望する位置の各孔部２ａ…に差込み固定して位置決めするので、各棚受け部材１０…の差込み位置を変更するだけで、移動用の各棚部３…を所望する高さ位置に上下移動することができる。
【００２３】
実施例では、挿入部材８を、パネル２の上端側垂直面及び下端側垂直面に対して２本の各ビス１３，１３で固定するが、例えばボルトや釘、接着剤等の固定手段で固定してもよい。また、棚受け部材１０と同様にして、挿入部材８の裏面側に突設した突起を、パネル２の各孔部２ａ…に差込み固定してもよい。
【００２４】
前記挿入部材８は、図３、図４にも示すように、後述する受け部材９の受け孔９ａと合致する大きさ及び形状に形成され、受け孔９ａ内面と対応して下端側から上端側に向けて徐々に小さくなる又は厚みが薄くなるテーパ形状に形成している。また、受け孔９ａに対して下方から挿入許容されるとともに、水平方向（又は側方）に対して着脱阻止される形状に形成している。
【００２５】
また、挿入部材８の両側部に、受け部材９に形成した一対の各係止溝９ｂ，９ｂに対して下方から挿入許容され、該挿入部材８が水平方向に対して分離阻止される平面から見てクサビ状を有する一対の各係止部８ｂ，８ｂを形成するとともに、各係止部８ｂ，８ｂを、下端側から上端側に向けて徐々に小さく又は厚みが薄くなるテーパ形状に形成している。
【００２６】
前記受け部材９は、棚部３の一側縁部に形成した平面から見て略半円形状の支持孔３ａと合致する大きさ及び形状に形成され、支持孔３ａに対して下方から挿入許容されるとともに、水平方向（又は側方）に対して着脱阻止される形状に形成している。
【００２７】
また、支持孔３ａ近傍の縁部に形成した切欠き部３ｂは、後述するパイプ状の支柱４が水平方向（又は側方）に対して着脱許容され、受け部材９が水平方向（又は側方）に対して着脱阻止される幅に上記支持孔３ａと連通して上下方向に切欠き形成している。
【００２８】
且つ、受け部材９に形成した受け孔９ａ内面は、上記挿入部材８の外面と対応して下端側から上端側に向けて徐々に幅が狭くなるテーパ形状に形成している。また、上記挿入部材８が下方から挿入許容され、該挿入部材８が水平方向に対して分離阻止される形状に形成している。
【００２９】
また、受け孔９ａの両側部内面に、挿入部材８に形成した一対の各係止部８ｂ，８ｂが下方から挿入許容され、該挿入部材８が水平方向に対して分離阻止される平面から見てクサビ状を有する一対の各係止溝９ｂ，９ｂを形成するとともに、各係止溝９ｂ，９ｂを、各係止部８ｂ，８ｂと対応して下端側から上端側に向けて徐々に幅が狭くなるテーパ形状に形成している。
【００３０】
また、棚部３の切欠き部３ｂと対応する受け部材９の側部には、上記挿入部材８が上下方向（又は垂直方向）に対して挿入許容され、該挿入部材８が水平方向（又は側方）に対して着脱阻止される幅の切欠き部９ｃを、上記受け孔９ａと連通して上下方向に切欠き形成している。
【００３１】
また、受け孔９ａ内部に設けた抜止め機構１１は、受け孔９ａ中央面に固定した板バネ１２の下端部を、受け孔９ａに挿入された挿入部材８の下端側縁部に係止して抜止めする。なお、板バネ１２の下端部を、バネ自体の復元力に抗して挿入部材８の下端側縁部から離脱すれば係止解除され、挿入部材８と受け部材９との分離が許容される。
【００３２】
また、受け部材９の下端側外面に沿って円周方向に連続して形成した鍔状のフランジ部９Ａは、棚部３に形成した支持孔３ａの下面側周縁部に対して複数本の各ビス１３…で固定され、挿入部材８を受け部材９の受け孔９ａに挿入するか、後述する支柱４を受け部材９の受け孔９ａに挿入する際に、棚部３の支持孔３ａから受け部材９が脱落しない。なお、フランジ部９Ａは、受け部材９の下端側外周部に沿って円周方向に対して所定間隔に隔てて部分的に形成してもよい。
【００３３】
図示実施例は上記の如く構成するものにして、以下、上記クサビ式組立て構造による構造物１の組立て方法を説明する。
【００３４】
先ず、図３、図４にも示すように、一対の各挿入部材８，８を、構造物１を構成する各パネル２，２の上端側対向縁部及び下端側対向縁部に固定し、各受け部材９…を、底板用棚部３及び天板用棚部３に形成した各支持孔３ａ…に下方から挿入して、棚部３に形成した支持孔３ａの切欠き部３ｂと、受け部材９に形成した受け孔９ａの切欠き部９ｃとを一致させるとともに、棚部３の上面と受け部材９の上端面とが略水平又は同一高さとなるように固定する。
【００３５】
次に、２枚の各パネル２，２を、棚部３全長と対応する左右間隔に隔てて真上方向に向けて略垂直に立設し、各パネル２，２の上下縁部に取り付けた各挿入部材８…を、底板用棚部３及び天板用棚部３に取り付けた各受け部材９…に対して下方から挿入して、各挿入部材８…の上端面と各受け部材９…の上端面とが略水平又は同一高さとなるように固定する。
【００３６】
且つ、挿入部材８に形成したクサビ状を有する一対の各係止部８ｂ，８ｂを、受け孔９ａに形成したクサビ状を有する一対の各係止溝９ｂ，９ｂに下方から挿入して係止し、挿入部材８と受け部材９とを水平方向に対して分離阻止される状態に合致固定する。また、移動用の各棚部３…を、図２にも示すように、各パネル２，２の中央部対向面に取り付けた左右一対の各棚受け部材１０…に対して略水平に載置すれば、図１に示す構造物１の組立て作業が完了する。
【００３７】
一方、パネル２を下方に引き下げ、棚部３を上方に持ち上げて、挿入部材８を受け部材９の受け孔９ａから抜き取れば、挿入部材８側のパネル２と、受け部材９側の棚部３とを分離することができる。
【００３８】
以上のように、一方のパネル２に取り付けた挿入部材８を、他方の棚部３に取り付けた受け部材９の受け孔９ａに下方から挿入し、挿入部材８に形成したクサビ状を有する一対の各係止部８ｂ，８ｂと、受け孔９ａに形成したクサビ状を有する一対の各係止溝９ｂ，９ｂとを互いに係止して嵌合固定するので、パネル２と棚部３とに水平方向に対して引っ張り応力が付与されても、挿入部材８が受け部材９から水平方向に抜き取られることがなく、簡単な構造でありながら、堅牢且つ強固に固定することができる。且つ、挿入部材８と受け部材９とを同一の材質で形成しているので、収縮率及び膨張率が同じであり、挿入部材８と受け部材９との間に隙間が生じにくく、ガタ付きの無い状態に固定することができる。
【００３９】
また、挿入部材８と受け部材９との組み付け精度に多少の誤差が生じても、挿入部材８と受け部材９とのテーパ面を互いに嵌合すれば、ガタ付きの無い状態に固定することができる。且つ、精度誤差が吸収又は修正されるので、異なる素材の部材を組み合わせるのに最適である。
【００４０】
図５は、パネル２と棚部３とを固定する第２実施例のクサビ式組立て構造を示し、パネル２に取り付けた挿入部材８を、棚部３に取り付けた受け部材９の受け孔９ａに下方から挿入して、挿入部材８の両側端部を内側に折曲げて形成した一対の各係止部８ｂ，８ｂを、該挿入部材８と合致する大きさ及び形状に形成した受け孔９ａの一対の各係止溝９ｂ，９ｂに係止するので、前記第１実施例と同等の作用及び効果を奏することができる。
【００４１】
図６、図７は、パネル２と棚部３とを固定する第３実施例のクサビ式組立て構造を示し、中央部が凹状に形成された挿入部材８を、パネル２の垂直面に対して各ビス１３…で固定し、平面から見て略矩形に形成した受け部材９を、該受け部材９と合致する大きさ及び形状に形成した略矩形を有する棚部３の支持孔３ａに下方から挿入し、受け部材９の下端側後部外面に形成したフランジ部９Ａを、フランジ部９Ａに載置された棚部３下面に係止又は当接して各ビス１３…で固定し、フランジ部９Ａに突設した例えばタボ、ピン等の突起９Ｂを、棚部３下面に形成した例えば孔部や凹部等に差込み固定して、フランジ部９Ａに載置される棚部３を略水平に支持する。
【００４２】
次に、パネル２に取り付けた挿入部材８を、棚部３に取り付けた受け部材９の受け孔９ａに下方から挿入して、挿入部材８に形成した一対の各係止部８ｂ，８ｂを、受け部材９に形成した一対の各係止溝９ｂ，９ｂに係止するので、前記第１実施例と同等の作用及び効果を奏することができる。なお、第３実施例の受け部材９は、図１２に示すパイプ状の支柱４を固定する構造としても用いることができる。
【００４３】
図８、図９は、棚部３と支柱４とを固定する第４実施例のクサビ式組立て構造を示し、挿入部材８の受け面８ｅに突設した２本の各突起８ｄ，８ｄを、支柱４の外周面に沿って長さ方向に対して所定等間隔に隔てて形成した各孔部４ａ…に差込み固定して、挿入部材８を支柱４上の所望する高さ位置に取付けた後、挿入部材８よりも上方に突出する支柱４を、棚部３に取り付けた受け部材９の受け孔９ａに対して略水平方向から挿入し、受け部材９に形成した受け面９ｅにより支柱４を保持した後、支柱４に取り付けた挿入部材８を、棚部３に取り付けた受け部材９の受け孔９ａに下方から挿入して、挿入部材８に形成した一対の各係止部８ｂ，８ｂを、受け部材９に形成した一対の各係止溝９ｂ，９ｂに係止するので、前記第１実施例と同等の作用及び効果を奏することができる。
【００４４】
なお、受け部材９の切欠き部９ｃは、支柱４が水平方向（又は側方）に対して着脱許容され、上記挿入部材８が水平方向（又は側方）に対して着脱阻止される幅に上記受け孔９ａと連通して上下方向に切欠き形成している。また、挿入部材８を支柱４に対してビス等で固定してもよい。また、アジャスト機能付き支柱４の上端はキャップで閉塞され、支柱４の下端は接地部材で閉塞している。
【００４５】
図１０は、棚部３と支柱４とを固定する第５実施例のクサビ式組立て構造を示し、挿入部材８の受け面８ｅに突設した２本の各突起８ｄ，８ｄを支柱４の各孔部４ａ…に差込み固定し、支柱４に取り付けた挿入部材８を、棚部３に取り付けた受け部材９の受け孔９ａに下方から挿入して、挿入部材８に形成したクサビ状を有する一対の各係止溝８ｆ，８ｆと、受け部材９に形成したクサビ状を有する一対の各係止部９ｆ，９ｆとを互いに係止するので、前記第１実施例と同等の作用及び効果を奏することができる。
【００４６】
図１１は、棚部３と支柱４とを２つ割り可能に設けた挿入部材８を用いて固定する第６実施例のクサビ式組立て構造を示し、挿入部材８を構成する後部分割部材８ａを支柱４の後部外周面に装着して、後部分割部材８ａの受け面８ｅに形成した各突起８ｄ…を支柱４の各孔部４ａ…に差込み固定した後、前部分割部材８ａを支柱４の前部外周面に装着して、各分割部材８ａ，８ａの対向端部（例えば段部、突起、溝部等）を互いに係合して合致固定する。また、支柱４に取り付けた挿入部材８を、棚部３に取り付けた受け部材９の受け孔９ａに下方から挿入して、挿入部材８に形成した一対の各係止溝８ｆ，８ｆと、受け部材９に形成した一対の各係止部９ｆ，９ｆとを互いに係止するので、前記第１実施例と同等の作用及び効果を奏することができる。
【００４７】
なお、前部分割部材８ａを、後部分割部材８ａと同様にして支柱４外周面に取付けてもよい。また、第４乃至第６実施例のクサビ式組立て構造は、挿入部材８をパネル２に固定することにより、パネル２と棚部３とを固定する構造としても用いることができる。この場合、支柱４と対応する孔部が挿入部材８と受け部材９との間に形成されるが、その孔部をキャップや蓋等の閉塞部材で閉塞するとよい。
【００４８】
図１２は、支柱４を、棚部３の一側縁部よりも外側に突出した状態に固定する第７実施例のクサビ式組立て構造を示し、平面から見て略Ｕ字状を有する挿入部材８の湾曲側受け面８ｅに突設した２本の各突起８ｄ，８ｄを支柱４の各孔部４ａ…に差込み固定し、支柱４に取り付けた挿入部材８を、棚部３に取り付けた受け部材９の受け孔９ａに下方から挿入して、挿入部材８に形成した一対の各係止部８ｂ，８ｂを、受け部材９に形成した一対の各係止溝９ｂ，９ｂに係止するので、前記第１実施例と同等の作用及び効果を奏することができる。また、支柱４が固定される挿入部材８の湾曲部を、棚部３の縁部よりも外側に突出するように設けているので、上記挿入部材８と受け部材９とを嵌合固定すれば、挿入部材８が取り付けられた支柱４が邪魔にならず、受け部材９が取り付けられた棚部３の上下面を有効に活用することができる。
【００４９】
図１３、図１４は、平面から見てクサビ形状を有する挿入部材８を、該挿入部材８と合致する大きさ及び形状に形成した受け部材９の受け孔９ａに挿入固定する第８実施例のクサビ式組立て構造を示し、側面から見て略円錐台形状に形成した挿入部材８の外周面と、受け部材９の受け孔９ａ内周面とを下端側大径部から上端側小径部に向けて徐々に径が小さくなるテーパ面に形成しているので、パネル２に取り付けた挿入部材８を、棚部３に取り付けた受け部材９の受け孔９ａに下方から挿入すれば、挿入部材８と受け部材９とのテーパ面が互いに圧接され、ガタ付きの無い状態に固定されるので、前記第１実施例と同等の作用及び効果を奏することができる。
【００５０】
図１５は、第１及び第４実施例のクサビ式組立て構造を用いて、１枚のパネル２と、複数の各棚部３…及び各支柱４…とを組み合わせてなる構造物１の他の組立て例を示し、パネル２に取り付けた各挿入部材８…を、各棚部３…の一側縁部に取り付けた各受け部材９…に下方から挿入固定し、２本の各支柱４…に取り付けた各挿入部材８…を、各棚部３…の他側縁部に取り付けた各受け部材９…に下方から挿入固定すれば、図１４に示す構造物１の組立て作業が完了するので、前記１実施例と同等の作用及び効果を奏することができる。また、第２及び第３実施例と、第５乃至第８実施例のクサビ式組立て構造を用いることもできる。
【００５１】
また、下位側に架設した移動用棚部３の高さを変更する場合、その棚部３を上方に持ち上げれば、挿入部材８を受け部材９の受け孔９ａから抜き取ることができるので、上位側に架設した棚部３を支柱４，４の間から抜き取るような手間及び作業が省け、棚部３を着脱する作業、高さを変更する作業が簡単且つ容易に行える。
【００５２】
図１６は、第４実施例のクサビ式組立て構造を用いて、複数の各棚部３…及び各支柱４…を組み合わせてなる構造物１のその他の組立て例を示し、４本の各支柱４…に取り付けた各挿入部材８…を、各棚部３…の両側縁部に取り付けた各受け部材９…に下方から挿入固定すれば、図１５に示す構造物１の組立て作業が完了するので、前記１実施例と同等の作用及び効果を奏することができる。
【００５３】
また、構造物１の下端部にストッパー機能付きキャスターを取り付けて、所望する方向（例えば略３６０度）に走行移動可能に設けるか、キャスターを取り付けず、構造物１を所望する場所に直接設置等してもよい。また、第５乃至第７実施例のクサビ式組立て構造を用いることもできる。
【００５４】
この発明の構成と、上述の実施例との対応において、  
この発明の構造体は、実施例のパネル２と、棚部３と、支柱４とに対応し、  
以下同様に、  
固定手段は、ビス１３に対応するも、  
この発明は、上述の実施例の構成のみに限定されるものではなく、請求項に示される技術思想に基づいて応用することができ、多くの実施の形態を得ることができる。
【００５５】
前記支柱４は、例えば丸形、四角形、五角形、六角形、楕円形等の水平断面形状を有するもので構成することができる。
【００５６】
なお、本発明を構成するクサビは、挿入部材８に形成した一対の各係止部８ｂ，８ｂ及び各係止溝８ｆ，８ｆと、受け部材９に形成した一対の各係止溝９ｂ，９ｂ及び各係止部９ｆ，９ｆとを係止する構造と、平面から見てクサビ形状を有する挿入部材８と、該挿入部材８と合致する大きさ及び形状に形成した受け部材９の受け孔９ａとを係止する構造とに対応する。
【図面の簡単な説明】
【００５７】
【図１】複数の各パネルからなる構造体の組立て状態を示す斜視図。
【図２】棚受け部材の取付け状態を示す断面図。
【図３】第１実施例の挿入部材と受け部材との組付け方法を示す斜視図。
【図４】挿入部材と受け部材との組付け状態を示す平面図。
【図５】第２実施例の挿入部材と受け部材との組付け方法を示す斜視図。
【図６】第３実施例の挿入部材と受け部材との組付け方法を示す斜視図。
【図７】図６の挿入部材と受け部材との組付け状態を示す平面図。
【図８】第４実施例のクサビ式組立て構造を示す斜視図。
【図９】図８の挿入部材と受け部材との組付け状態を示す平面図。
【図１０】第５実施例のクサビ式組立て構造を示す平面図。
【図１１】第６実施例のクサビ式組立て構造を示す平面図。
【図１２】第７実施例のクサビ式組立て構造を示す平面図。
【図１３】第８実施例のクサビ式組立て構造を示す斜視図。
【図１４】図１３の挿入部材と受け部材との組付け状態を示す平面図。
【図１５】パネル、棚部、支柱からなる構造物の他の組立て例を示す斜視図。
【図１６】棚部、支柱からなる構造物のその他の組立て例を示す斜視図。
【符号の説明】
【００５８】
１…構造物
２…パネル
２ａ…孔部
３…棚部
３ａ…支持孔
３ｂ…切欠き部
４…支柱
４ａ…孔部
８…挿入部材
８ａ…分割部材
８ｂ…係止部
８ｄ…突起
８ｆ…係止溝
９…受け部材
９ａ…受け孔
９ｂ…係止溝
９ｃ…切欠き部
９ｆ…係止部
９Ａ…フランジ部
【手続補正３】
【補正対象書類名】図面
【補正対象項目名】図５
【補正方法】変更
【補正の内容】
【図５】
2007040392.tif 000019
【手続補正書】
【提出日】平成18年4月5日(2006.4.5)
【手続補正１】
【補正対象書類名】特許請求の範囲
【補正対象項目名】全文
【補正方法】変更
【補正の内容】
【特許請求の範囲】
【請求項１】
一方の構造体に取り付けた挿入部材を、他方の構造体に取り付けた受け部材の受け孔に下方から挿入して固定する組立て構造であって、
上記一方の構造体に取り付けた挿入部材の外面と、上記他方の構造体縁部に形成した支持孔に取り付けた受け部材の受け孔内面とを、上記挿入部材が受け部材の受け孔に対して下方から挿入許容され、該挿入部材と受け部材とが水平方向に対して分離阻止される合致する形状に形成し、
上記挿入部材の両側部外面と上記受け部材の受け孔の両側部内面とに、一方の部材の両側端部を平面視略Ｌ字状に折り曲げてなる一対の各係止部と、該各係止部が係止される一対の各係止溝とをそれぞれ形成し、
上記一対の各係止部と一対の各係止溝とを、該係止部が係止溝に対して下方から挿入許容され、該係止部と係止溝とが水平方向に対して分離阻止される形状に形成するとともに、該係止部と係止溝とを下端側から上端側に向けて徐々に幅狭となるテーパ形状に形成した
クサビ式組立て構造。
【請求項２】
上記挿入部材の外面を下端側から上端側に向けて小さくなるテーパ形状に形成し、
上記挿入部材と合致する受け部材の受け孔内面を、上記挿入部材と対応して下端側から上端側に向けて小さくなるテーパ形状に形成した
請求項１に記載のクサビ式組立て構造。
【請求項３】
上記受け部材が取り付けられる上記構造体の支持孔を、上記受け部材が下方から挿入許容され、該受け部材が水平方向に対して着脱阻止される大きさ及び形状に形成し、
上記支持孔近傍の構造体縁部に、上記挿入部材を取り付けた支柱が水平方向に対して着脱許容され、上記受け部材が水平方向に対して着脱阻止される幅に開口した切欠き部を上記支持孔と連通して上下方向に形成した
請求項１又は２に記載のクサビ式組立て構造。
【請求項４】
上記構造体縁部と対応する受け部材の側部に、上記挿入部材を取り付けた支柱が水平方向に対して着脱許容され、該挿入部材が水平方向に対して着脱阻止される幅に開口した切欠き部を上記受け孔と連通して上下方向に形成した
請求項１乃至３のいずれか一つに記載のクサビ式組立て構造。
【請求項５】
上記挿入部材と構造体との対向面に、互いに係止される孔部と突起とを形成するとともに、該孔部及び突起の少なくとも一方を構造体の外面に沿って長さ方向に対して所定等間隔に隔てて複数配列した
請求項１乃至４のいずれか一つに記載のクサビ式組立て構造。
【請求項６】
上記挿入部材が取り付けられた一方の構造体を、上記受け部材が取り付けられた他方の構造体の縁部よりも外側に突出した状態に固定した
請求項１乃至５のいずれか一つに記載のクサビ式組立て構造。
【請求項７】
上記受け部材の下端側外面に、上記支持孔の周縁部に係止されるフランジ部を形成した
請求項１乃至６のいずれか一つに記載のクサビ式組立て構造。
【請求項８】
上記受け部材のフランジ部と、該フランジ部に載置された構造体の下面側とを固定手段により一体的に固定した
請求項７に記載のクサビ式組立て構造。
【手続補正２】
【補正対象書類名】明細書
【補正対象項目名】全文
【補正方法】変更
【補正の内容】
【発明の詳細な説明】
【技術分野】
【０００１】
この発明は、例えば棚、ラック、テーブル、ボックス、あるいは、屋内外に設置される大型構造物等の構造物を組立てるのに用いられるクサビ式組立て構造に関する。
【背景技術】
【０００２】
従来、上述の組立て構造としては、例えば支柱外面に取り付けたスリーブに対して該支柱側方からカラーを装着した後、棚板角部に設けたホルダを、カラー側面に形成した凹部に支柱側方から嵌着し、ホルダの両端凸部をカラーの両側凹部にそれぞれ係合して、カラーの下端側に突出する突部にホルダを載置して組立てる特許文献１の組立て式の棚があるが、ホルダをカラー側面に対して着脱するとき、ホルダの両端部を弾性に抗して左右に拡張するが、ホルダを、カラーに対して側方及び上方から嵌着しても、ホルダを設けた棚板と、カラーを取り付けた支柱とに水平方向に向けて引っ張り応力が付与されたとき、ホルダの両端部が弾性に抗して左右に拡張されやすく、ホルダからカラーが外れることがあるため、棚の組立て状態を維持するのに十分な構造的強度が得られない。
【０００３】
他の組立て構造としては、例えば延長用パネルとコーナ用パネルとの対向縁部に固定した各縁金具の各突条部端面を互いに当接して締付け具により締付け固定し、その締付け具に嵌着した腕木上に棚板を載置する特許文献２の縁金具と締付け具を使用した組立てブースがあるが、各縁金具の各突条部に装着した締付け具の操作レバーを回動操作して、各縁金具の各突条部端面を互いに当接した状態に固定した後、締付け具に嵌着した腕木上に棚板を載置しなければならず、棚板の着脱する作業、高さを変更する作業に手間及び時間が掛かる。また、例えば摩耗や変形等により締付け具の締付け力が徐々に弱くなるため、組立て構造を維持するのに必要な強度が得られなくなる。
【０００４】
【特許文献１】特許第３４６９１６１号
【特許文献２】特開平９−３０２８１８号
【発明の開示】
【発明が解決しようとする課題】
【０００５】
この発明は上記問題に鑑み、構造体の着脱作業が簡単且つ容易に行えるとともに、堅牢且つ強固に固定することができるクサビ式組立て構造の提供を目的とする。
【課題を解決するための手段】
【０００６】
請求項１に記載した発明のクサビ式組立て構造は、一方の構造体に取り付けた挿入部材を、他方の構造体に取り付けた受け部材の受け孔に下方から挿入して固定する組立て構造であって、上記一方の構造体に取り付けた挿入部材の外面と、上記他方の構造体縁部に形成した支持孔に取り付けた受け部材の受け孔内面とを、上記挿入部材が受け部材の受け孔に対して下方から挿入許容され、該挿入部材と受け部材とが水平方向に対して分離阻止される合致する形状に形成し、上記挿入部材の両側部外面と上記受け部材の受け孔の両側部内面とに、一方の部材の両側端部を平面視略Ｌ字状に折り曲げてなる一対の各係止部と、該各係止部が係止される一対の各係止溝とをそれぞれ形成し、上記一対の各係止部と一対の各係止溝とを、該係止部が係止溝に対して下方から挿入許容され、該係止部と係止溝とが水平方向に対して分離阻止される形状に形成するとともに、該係止部と係止溝とを下端側から上端側に向けて徐々に幅狭となるテーパ形状に形成したことを特徴とする。
【０００７】
この発明によると、一方の構造体に取り付けた挿入部材を、他方の構造体に取り付けた受け部材の受け孔に対して下方から挿入するとともに、挿入部材又は受け部材のいずれか一方の部材の両側端部を平面視略Ｌ字状に折り曲げてなる一対の各係止部と、各係止部と対応して他方の部材に形成した一対の各係止溝とを互いに係止して、水平方向に対して分離阻止される状態に抜止めする。また、構造体に付与される自然荷重又は構造体の重量により、各係止部外面と各係止溝内面とのテーパ面を互いに圧接して一体的に固定する。また、一方の構造体を下方に引き下げ、他方の構造体を上方に持ち上げて、挿入部材の各係止部を受け部材の各係止溝から抜き取り、挿入部材側の構造体と、受け部材側の構造体とを分離する。
【０００８】
上記構造体は、例えばパネル、棚板、底板、天板、側板、或いは、中空や中実の支柱等で構成することができる。また、構造体及び挿入部材、受け部材は、例えば集成材、合板、木、金属、プラスチック等の単一又は複合した材質で構成することができる。
【０００９】
請求項２に記載した発明のクサビ式組立て構造は、上記請求項１に記載の構成と併せて、上記挿入部材の外面を下端側から上端側に向けて小さくなるテーパ形状に形成し、上記挿入部材と合致する受け部材の受け孔内面を、上記挿入部材と対応して下端側から上端側に向けて小さくなるテーパ形状に形成したことを特徴とする。この発明によると、一方の構造体に取り付けた挿入部材を、他方の構造体の支持孔に取り付けた受け部材の受け孔に下方から挿入して、挿入部材と受け部材とを互いに嵌合するとともに、構造体に付与される自然荷重又は構造体の重量により、挿入部材の外面と、受け部材の受け孔内面とのテーパ面を互いに圧接して一体的に固定する。また、一方の構造体を下方に引き下げ、他方の構造体を上方に持ち上げて、挿入部材を受け部材の受け孔から抜き取り、挿入部材側の構造体と、受け部材側の構造体とを分離する。
【００１０】
請求項３に記載した発明のクサビ式組立て構造は、上記請求項１又は２に記載の構成と併せて、上記受け部材が取り付けられる上記支持孔を、上記受け部材が下方から挿入許容され、該受け部材が水平方向に対して着脱阻止される大きさ及び形状に形成し、上記支持孔近傍の構造体縁部に、上記挿入部材を取り付けた支柱が水平方向に対して着脱許容され、上記受け部材が水平方向に対して着脱阻止される幅に開口した切欠き部を上記支持孔と連通して上下方向に形成したことを特徴とする。この発明によると、受け部材を、構造体の縁部に形成した支持孔に対して下方から挿入し、挿入部材と受け部材とを水平方向に対して分離阻止される状態に抜止めする。
【００１１】
請求項４に記載した発明のクサビ式組立て構造は、上記請求項１乃至３のいずれか一つに記載の構成と併せて、上記構造体縁部と対応する受け部材の側部に、上記挿入部材を取り付けた支柱が水平方向に対して着脱許容され、該挿入部材が水平方向に対して着脱阻止される幅に開口した切欠き部を上記受け孔と連通して上下方向に形成したことを特徴とする。この発明によると、挿入部材よりも上方に突出する支柱を、受け部材の受け孔に対して切欠き部から水平方向に挿入するか、受け孔から水平方向に抜き取る等して、挿入部材と受け部材とを着脱する。
【００１２】
請求項５に記載した発明のクサビ式組立て構造は、上記請求項１乃至４のいずれか一つに記載の構成と併せて、上記挿入部材と構造体との対向面に、互いに係止される孔部と突起とを形成するとともに、該孔部及び突起の少なくとも一方を構造体外面に沿って長さ方向に対して所定等間隔に隔てて複数配列したことを特徴とする。この発明によると、挿入部材と構造体との対向面に形成した孔部及び突起を互いに係止して、構造体を、挿入部材が取り付けられた高さ位置に規制する。また、挿入部材の取付け位置を支柱上の所望する位置に変更して、構造体の取付け位置を段階的に高さ調節する。
【００１３】
請求項６に記載した発明のクサビ式組立て構造は、上記請求項１乃至５のいずれか一つに記載の構成と併せて、上記挿入部材が取り付けられた一方の構造体を、上記受け部材が取り付けられた他方の構造体の縁部よりも外側に突出した状態に固定したことを特徴とする。この発明によると、挿入部材が取り付けられた構造体が邪魔にならず、受け部材が取り付けられた構造体の上下面を有効に活用することができる。
【００１４】
請求項７に記載した発明のクサビ式組立て構造は、上記請求項１乃至６のいずれか一つに記載の構成と併せて、上記受け部材の下端側外面に、上記支持孔の周縁部に係止されるフランジ部を形成したことを特徴とする。この発明によると、受け部材のフランジ部を、構造体に形成した支持孔の周縁部に係止又は当接して、受け部材のフランジ部に載置される構造体を略水平に支持する。
【００１５】
請求項８に記載した発明のクサビ式組立て構造は、上記請求項７に記載の構成と併せて、上記受け部材のフランジ部と、該フランジ部に載置された構造体の下面側とを固定手段により一体的に固定したことを特徴とする。この発明によると、一方の構造体に取り付けた挿入部材を、他方の構造体に取り付けた受け部材の受け孔に下方から挿入するか、一方の構造体を、受け部材の受け孔に挿入する際に、構造体の支持孔から受け部材が脱落する心配がない。また、固定手段は、例えばビス、ボルト、釘、或いは、マグネット、接着剤、粘着剤等で構成することができる。
【発明の効果】
【００１６】
この発明によれば、一方の構造体に取り付けた挿入部材を、他方の構造体に取り付けた受け部材の受け孔に下方から挿入し、クサビ状に形成した挿入部材と受け部材とを互いに嵌合固定するので、一方の構造体と他方の構造体とに水平方向に対して引っ張り応力が付与されても、挿入部材が受け部材から水平方向に抜き取られることがなく、簡単な構造でありながら、堅牢且つ強固に固定することができる。
【００１７】
また、下位側構造体の高さを変更する場合、その構造体を上方に持ち上げれば、挿入部材を受け部材の受け孔から抜き取ることができるので、上位側構造体を分離するような手間及び作業が省け、構造体を着脱する作業、高さを変更する作業が簡単且つ容易に行える。
【００１８】
また、一方の構造体と他方の構造体との組み付け精度に多少の誤差が生じても、挿入部材と受け部材とのテーパ面を互いに嵌合すれば、ガタ付きの無い状態に固定することができる。且つ、精度誤差が吸収又は修正されるので、異なる素材の部材を組み合わせるのに最適である。
【発明を実施するための最良の形態】
【００１９】
この発明は、構造体の着脱作業が簡単且つ容易に行えるとともに、堅牢且つ強固に固定することができる目的を、一方の構造体に取り付けた挿入部材を、他方の構造体に取り付けた受け部材の受け孔に下方から挿入し、クサビ状に形成した挿入部材と受け部材とを互いに嵌合固定することで達成した。
【実施例】
【００２０】
この発明の一実施例を以下図面に基づいて詳述する。  
図面は、構造体の一例であるパネル、棚部を組み合わせてなる構造物の組立て作業に用いられる第１実施例のクサビ式組立て構造を示し、図１に於いて、第１実施例のクサビ式組立て構造は、構造物１を構成する左右一対の各パネル２，２に取り付けた各挿入部材８…を、例えば棚板、底板、天板等を構成する各棚部３…の両側縁部に取り付けた各受け部材９…に挿入固定して、工具類を使用せずに組立てるものである。実施例において、挿入部材８及び受け部材９は同一の材質で形成しているが、異なる材質で形成してもよい。
【００２１】
上記構造物１は、板状を有する２枚の各パネル２，２を、棚部３全長と対応する左右間隔に隔てて真上方向に向けて略垂直に立設し、各パネル２，２の上端側対向面及び下端側対向面に取り付けた各挿入部材８…を、底板用の棚部３と天板用の棚部３との両側縁部に取り付けた各受け部材９…に対して下方から嵌合固定し、底板用の棚部３と天板用の棚部３との間に架設される移動用の各棚部３…の両側縁部を、各パネル２，２の中央部対向面に取り付けた各棚受け部材１０…に載置して、底板用及び天板用、移動用の各棚部３…を略水平に架設している。
【００２２】
且つ、棚受け部材１０は、図２にも示すように、該部材の裏面側に突設した２本の各突起１０ａ，１０ａを、パネル２の垂直面に沿って上下方向に対して所定等間隔に隔てて配列した所望する位置の各孔部２ａ…に差込み固定して位置決めするので、各棚受け部材１０…の差込み位置を変更するだけで、移動用の各棚部３…を所望する高さ位置に上下移動することができる。
【００２３】
実施例では、挿入部材８を、パネル２の上端側垂直面及び下端側垂直面に対して２本の各ビス１３，１３で固定するが、例えばボルトや釘、接着剤等の固定手段で固定してもよい。また、棚受け部材１０と同様にして、挿入部材８の裏面側に突設した突起を、パネル２の各孔部２ａ…に差込み固定してもよい。
【００２４】
前記挿入部材８は、図３、図４にも示すように、後述する受け部材９の受け孔９ａと合致する大きさ及び形状に形成され、受け孔９ａ内面と対応して下端側から上端側に向けて徐々に小さくなる又は厚みが薄くなるテーパ形状に形成している。また、受け孔９ａに対して下方から挿入許容されるとともに、水平方向（又は側方）に対して着脱阻止される形状に形成している。
【００２５】
また、挿入部材８の両側部に、受け部材９に形成した一対の各係止溝９ｂ，９ｂに対して下方から挿入許容され、該挿入部材８が水平方向に対して分離阻止される平面から見てクサビ状を有する一対の各係止部８ｂ，８ｂを形成するとともに、各係止部８ｂ，８ｂを、下端側から上端側に向けて徐々に小さく又は厚みが薄くなるテーパ形状に形成している。
【００２６】
前記受け部材９は、棚部３の一側縁部に形成した平面から見て略半円形状の支持孔３ａと合致する大きさ及び形状に形成され、支持孔３ａに対して下方から挿入許容されるとともに、水平方向（又は側方）に対して着脱阻止される形状に形成している。
【００２７】
また、支持孔３ａ近傍の縁部に開口した切欠き部３ｂは、後述するパイプ状の支柱４が水平方向（又は側方）に対して着脱許容され、受け部材９が水平方向（又は側方）に対して着脱阻止される幅に上記支持孔３ａと連通して上下方向に切欠き形成している。
【００２８】
且つ、受け部材９に形成した受け孔９ａ内面は、上記挿入部材８の外面と対応して下端側から上端側に向けて徐々に幅が狭くなるテーパ形状に形成している。また、上記挿入部材８が下方から挿入許容され、該挿入部材８が水平方向に対して分離阻止される形状に形成している。
【００２９】
また、受け孔９ａの両側部内面に、挿入部材８に形成した一対の各係止部８ｂ，８ｂが下方から挿入許容され、該挿入部材８が水平方向に対して分離阻止される平面から見てクサビ状を有する一対の各係止溝９ｂ，９ｂを形成するとともに、各係止溝９ｂ，９ｂを、各係止部８ｂ，８ｂと対応して下端側から上端側に向けて徐々に幅が狭くなるテーパ形状に形成している。
【００３０】
また、棚部３の切欠き部３ｂと対応する受け部材９の側部には、上記挿入部材８が上下方向（又は垂直方向）に対して挿入許容され、該挿入部材８が水平方向（又は側方）に対して着脱阻止される幅に開口した切欠き部９ｃを、上記受け孔９ａと連通して上下方向に切欠き形成している。
【００３１】
また、受け孔９ａ内部に設けた抜止め機構１１は、受け孔９ａ中央面に固定した板バネ１２の下端部を、受け孔９ａに挿入された挿入部材８の下端側縁部に係止して抜止めする。なお、板バネ１２の下端部を、バネ自体の復元力に抗して挿入部材８の下端側縁部から離脱すれば係止解除され、挿入部材８と受け部材９との分離が許容される。
【００３２】
また、受け部材９の下端側外面に沿って円周方向に連続して形成した鍔状のフランジ部９Ａは、棚部３に形成した支持孔３ａの下面側周縁部に対して複数本の各ビス１３…で固定され、挿入部材８を受け部材９の受け孔９ａに挿入するか、後述する支柱４を受け部材９の受け孔９ａに挿入する際に、棚部３の支持孔３ａから受け部材９が脱落しない。なお、フランジ部９Ａは、受け部材９の下端側外周部に沿って円周方向に対して所定間隔に隔てて部分的に形成してもよい。
【００３３】
図示実施例は上記の如く構成するものにして、以下、上記クサビ式組立て構造による構造物１の組立て方法を説明する。
【００３４】
先ず、図３、図４にも示すように、一対の各挿入部材８，８を、構造物１を構成する各パネル２，２の上端側対向縁部及び下端側対向縁部に固定し、各受け部材９…を、底板用棚部３及び天板用棚部３に形成した各支持孔３ａ…に下方から挿入して、棚部３に形成した支持孔３ａの切欠き部３ｂと、受け部材９に形成した受け孔９ａの切欠き部９ｃとを一致させるとともに、棚部３の上面と受け部材９の上端面とが略水平又は同一高さとなるように固定する。
【００３５】
次に、２枚の各パネル２，２を、棚部３全長と対応する左右間隔に隔てて真上方向に向けて略垂直に立設し、各パネル２，２の上下縁部に取り付けた各挿入部材８…を、底板用棚部３及び天板用棚部３に取り付けた各受け部材９…に対して下方から挿入して、各挿入部材８…の上端面と各受け部材９…の上端面とが略水平又は同一高さとなるように固定する。
【００３６】
且つ、挿入部材８に形成したクサビ状を有する一対の各係止部８ｂ，８ｂを、受け孔９ａに形成したクサビ状を有する一対の各係止溝９ｂ，９ｂに下方から挿入して係止し、挿入部材８と受け部材９とを水平方向に対して分離阻止される状態に合致固定する。また、移動用の各棚部３…を、図２にも示すように、各パネル２，２の中央部対向面に取り付けた左右一対の各棚受け部材１０…に対して略水平に載置すれば、図１に示す構造物１の組立て作業が完了する。
【００３７】
一方、パネル２を下方に引き下げ、棚部３を上方に持ち上げて、挿入部材８を受け部材９の受け孔９ａから抜き取れば、挿入部材８側のパネル２と、受け部材９側の棚部３とを分離することができる。
【００３８】
以上のように、一方のパネル２に取り付けた挿入部材８を、他方の棚部３に取り付けた受け部材９の受け孔９ａに下方から挿入し、挿入部材８に形成したクサビ状を有する一対の各係止部８ｂ，８ｂと、受け孔９ａに形成したクサビ状を有する一対の各係止溝９ｂ，９ｂとを互いに係止して嵌合固定するので、パネル２と棚部３とに水平方向に対して引っ張り応力が付与されても、挿入部材８が受け部材９から水平方向に抜き取られることがなく、簡単な構造でありながら、堅牢且つ強固に固定することができる。且つ、挿入部材８と受け部材９とを同一の材質で形成しているので、収縮率及び膨張率が同じであり、挿入部材８と受け部材９との間に隙間が生じにくく、ガタ付きの無い状態に固定することができる。
【００３９】
また、挿入部材８と受け部材９との組み付け精度に多少の誤差が生じても、挿入部材８と受け部材９とのテーパ面を互いに嵌合すれば、ガタ付きの無い状態に固定することができる。且つ、精度誤差が吸収又は修正されるので、異なる素材の部材を組み合わせるのに最適である。
【００４０】
図５は、パネル２と棚部３とを固定する第２実施例のクサビ式組立て構造を示し、パネル２に取り付けた挿入部材８を、棚部３に取り付けた受け部材９の受け孔９ａに下方から挿入して、挿入部材８の両側端部を内側に折曲げて形成した一対の各係止部８ｂ，８ｂを、該挿入部材８と合致する大きさ及び形状に形成した受け孔９ａの一対の各係止溝９ｂ，９ｂに係止するので、前記第１実施例と同等の作用及び効果を奏することができる。
【００４１】
図６、図７は、パネル２と棚部３とを固定する第３実施例のクサビ式組立て構造を示し、中央部が凹状に形成された挿入部材８を、パネル２の垂直面に対して各ビス１３…で固定し、平面から見て略矩形に形成した受け部材９を、該受け部材９と合致する大きさ及び形状に形成した略矩形を有する棚部３の支持孔３ａに下方から挿入し、受け部材９の下端側後部外面に形成したフランジ部９Ａを、フランジ部９Ａに載置された棚部３下面に係止又は当接して各ビス１３…で固定し、フランジ部９Ａに突設した例えばタボ、ピン等の突起９Ｂを、棚部３下面に形成した例えば孔部や凹部等に差込み固定して、フランジ部９Ａに載置される棚部３を略水平に支持する。
【００４２】
次に、パネル２に取り付けた挿入部材８を、棚部３に取り付けた受け部材９の受け孔９ａに下方から挿入して、挿入部材８に形成した一対の各係止部８ｂ，８ｂを、受け部材９に形成した一対の各係止溝９ｂ，９ｂに係止するので、前記第１実施例と同等の作用及び効果を奏することができる。なお、第３実施例の受け部材９は、図１２に示すパイプ状の支柱４を固定する構造としても用いることができる。
【００４３】
図８、図９は、棚部３と支柱４とを固定する第４実施例のクサビ式組立て構造を示し、挿入部材８の受け面８ｅに突設した２本の各突起８ｄ，８ｄを、支柱４の外周面に沿って長さ方向に対して所定等間隔に隔てて形成した各孔部４ａ…に差込み固定して、挿入部材８を支柱４上の所望する高さ位置に取付けた後、挿入部材８よりも上方に突出する支柱４を、棚部３に取り付けた受け部材９の受け孔９ａに対して略水平方向から挿入し、受け部材９に形成した受け面９ｅにより支柱４を保持した後、支柱４に取り付けた挿入部材８を、棚部３に取り付けた受け部材９の受け孔９ａに下方から挿入して、挿入部材８に形成した一対の各係止部８ｂ，８ｂを、受け部材９に形成した一対の各係止溝９ｂ，９ｂに係止するので、前記第１実施例と同等の作用及び効果を奏することができる。
【００４４】
なお、受け部材９の切欠き部９ｃは、支柱４が水平方向（又は側方）に対して着脱許容され、上記挿入部材８が水平方向（又は側方）に対して着脱阻止される幅に上記受け孔９ａと連通して上下方向に切欠き形成している。また、挿入部材８を支柱４に対してビス等で固定してもよい。また、アジャスト機能付き支柱４の上端はキャップで閉塞され、支柱４の下端は接地部材で閉塞している。
【００４５】
図１０は、棚部３と支柱４とを固定する第５実施例のクサビ式組立て構造を示し、挿入部材８の受け面８ｅに突設した２本の各突起８ｄ，８ｄを支柱４の各孔部４ａ…に差込み固定し、支柱４に取り付けた挿入部材８を、棚部３に取り付けた受け部材９の受け孔９ａに下方から挿入して、挿入部材８に形成したクサビ状を有する一対の各係止溝８ｆ，８ｆと、受け部材９に形成したクサビ状を有する一対の各係止部９ｆ，９ｆとを互いに係止するので、前記第１実施例と同等の作用及び効果を奏することができる。
【００４６】
図１１は、棚部３と支柱４とを２つ割り可能に設けた挿入部材８を用いて固定する第６実施例のクサビ式組立て構造を示し、挿入部材８を構成する後部分割部材８ａを支柱４の後部外周面に装着して、後部分割部材８ａの受け面８ｅに形成した各突起８ｄ…を支柱４の各孔部４ａ…に差込み固定した後、前部分割部材８ａを支柱４の前部外周面に装着して、各分割部材８ａ，８ａの対向端部（例えば段部、突起、溝部等）を互いに係合して合致固定する。また、支柱４に取り付けた挿入部材８を、棚部３に取り付けた受け部材９の受け孔９ａに下方から挿入して、挿入部材８に形成した一対の各係止溝８ｆ，８ｆと、受け部材９に形成した一対の各係止部９ｆ，９ｆとを互いに係止するので、前記第１実施例と同等の作用及び効果を奏することができる。
【００４７】
なお、前部分割部材８ａを、後部分割部材８ａと同様にして支柱４外周面に取付けてもよい。また、第４乃至第６実施例のクサビ式組立て構造は、挿入部材８をパネル２に固定することにより、パネル２と棚部３とを固定する構造としても用いることができる。この場合、支柱４と対応する孔部が挿入部材８と受け部材９との間に形成されるが、その孔部をキャップや蓋等の閉塞部材で閉塞するとよい。
【００４８】
図１２は、支柱４を、棚部３の一側縁部よりも外側に突出した状態に固定する第７実施例のクサビ式組立て構造を示し、平面から見て略Ｕ字状を有する挿入部材８の湾曲側受け面８ｅに突設した２本の各突起８ｄ，８ｄを支柱４の各孔部４ａ…に差込み固定し、支柱４に取り付けた挿入部材８を、棚部３に取り付けた受け部材９の受け孔９ａに下方から挿入して、挿入部材８に形成した一対の各係止部８ｂ，８ｂを、受け部材９に形成した一対の各係止溝９ｂ，９ｂに係止するので、前記第１実施例と同等の作用及び効果を奏することができる。また、支柱４が固定される挿入部材８の湾曲部を、棚部３の縁部よりも外側に突出するように設けているので、上記挿入部材８と受け部材９とを嵌合固定すれば、挿入部材８が取り付けられた支柱４が邪魔にならず、受け部材９が取り付けられた棚部３の上下面を有効に活用することができる。
【００４９】
図１３、図１４は、平面から見てクサビ形状を有する挿入部材８を、該挿入部材８と合致する大きさ及び形状に形成した受け部材９の受け孔９ａに挿入固定する第８実施例のクサビ式組立て構造を示し、側面から見て略円錐台形状に形成した挿入部材８の外周面と、受け部材９の受け孔９ａ内周面とを下端側大径部から上端側小径部に向けて徐々に径が小さくなるテーパ面に形成しているので、パネル２に取り付けた挿入部材８を、棚部３に取り付けた受け部材９の受け孔９ａに下方から挿入すれば、挿入部材８と受け部材９とのテーパ面が互いに圧接され、ガタ付きの無い状態に固定されるので、前記第１実施例と同等の作用及び効果を奏することができる。
【００５０】
図１５は、第１及び第４実施例のクサビ式組立て構造を用いて、１枚のパネル２と、複数の各棚部３…及び各支柱４…とを組み合わせてなる構造物１の他の組立て例を示し、パネル２に取り付けた各挿入部材８…を、各棚部３…の一側縁部に取り付けた各受け部材９…に下方から挿入固定し、２本の各支柱４…に取り付けた各挿入部材８…を、各棚部３…の他側縁部に取り付けた各受け部材９…に下方から挿入固定すれば、図１４に示す構造物１の組立て作業が完了するので、前記１実施例と同等の作用及び効果を奏することができる。また、第２及び第３実施例と、第５乃至第８実施例のクサビ式組立て構造を用いることもできる。
【００５１】
また、下位側に架設した移動用棚部３の高さを変更する場合、その棚部３を上方に持ち上げれば、挿入部材８を受け部材９の受け孔９ａから抜き取ることができるので、上位側に架設した棚部３を支柱４，４の間から抜き取るような手間及び作業が省け、棚部３を着脱する作業、高さを変更する作業が簡単且つ容易に行える。
【００５２】
図１６は、第４実施例のクサビ式組立て構造を用いて、複数の各棚部３…及び各支柱４…を組み合わせてなる構造物１のその他の組立て例を示し、４本の各支柱４…に取り付けた各挿入部材８…を、各棚部３…の両側縁部に取り付けた各受け部材９…に下方から挿入固定すれば、図１５に示す構造物１の組立て作業が完了するので、前記１実施例と同等の作用及び効果を奏することができる。
【００５３】
また、構造物１の下端部にストッパー機能付きキャスターを取り付けて、所望する方向（例えば略３６０度）に走行移動可能に設けるか、キャスターを取り付けず、構造物１を所望する場所に直接設置等してもよい。また、第５乃至第７実施例のクサビ式組立て構造を用いることもできる。
【００５４】
この発明の構成と、上述の実施例との対応において、  
この発明の構造体は、実施例のパネル２と、棚部３と、支柱４とに対応し、  
以下同様に、  
固定手段は、ビス１３に対応するも、  
この発明は、上述の実施例の構成のみに限定されるものではなく、請求項に示される技術思想に基づいて応用することができ、多くの実施の形態を得ることができる。
【００５５】
前記支柱４は、例えば丸形、四角形、五角形、六角形、楕円形等の水平断面形状を有するもので構成することができる。
【００５６】
なお、本発明を構成するクサビは、挿入部材８に形成した一対の各係止部８ｂ，８ｂ及び各係止溝８ｆ，８ｆと、受け部材９に形成した一対の各係止溝９ｂ，９ｂ及び各係止部９ｆ，９ｆとを係止する構造と、平面から見てクサビ形状を有する挿入部材８と、該挿入部材８と合致する大きさ及び形状に形成した受け部材９の受け孔９ａとを係止する構造とに対応する。
【図面の簡単な説明】
【００５７】
【図１】複数の各パネルからなる構造体の組立て状態を示す斜視図。
【図２】棚受け部材の取付け状態を示す断面図。
【図３】第１実施例の挿入部材と受け部材との組付け方法を示す斜視図。
【図４】挿入部材と受け部材との組付け状態を示す平面図。
【図５】第２実施例の挿入部材と受け部材との組付け方法を示す斜視図。
【図６】第３実施例の挿入部材と受け部材との組付け方法を示す斜視図。
【図７】図６の挿入部材と受け部材との組付け状態を示す平面図。
【図８】第４実施例のクサビ式組立て構造を示す斜視図。
【図９】図８の挿入部材と受け部材との組付け状態を示す平面図。
【図１０】第５実施例のクサビ式組立て構造を示す平面図。
【図１１】第６実施例のクサビ式組立て構造を示す平面図。
【図１２】第７実施例のクサビ式組立て構造を示す平面図。
【図１３】第８実施例のクサビ式組立て構造を示す斜視図。
【図１４】図１３の挿入部材と受け部材との組付け状態を示す平面図。
【図１５】パネル、棚部、支柱からなる構造物の他の組立て例を示す斜視図。
【図１６】棚部、支柱からなる構造物のその他の組立て例を示す斜視図。
【符号の説明】
【００５８】
１…構造物
２…パネル
２ａ…孔部
３…棚部
３ａ…支持孔
３ｂ…切欠き部
４…支柱
４ａ…孔部
８…挿入部材
８ａ…分割部材
８ｂ…係止部
８ｄ…突起
８ｆ…係止溝
９…受け部材
９ａ…受け孔
９ｂ…係止溝
９ｃ…切欠き部
９ｆ…係止部
９Ａ…フランジ部
【手続補正３】
【補正対象書類名】図面
【補正対象項目名】図３
【補正方法】変更
【補正の内容】
【図３】
2007040392.tif 000020
【手続補正４】
【補正対象書類名】図面
【補正対象項目名】図４
【補正方法】変更
【補正の内容】
【図４】
2007040392.tif 000021
【手続補正５】
【補正対象書類名】図面
【補正対象項目名】図５
【補正方法】変更
【補正の内容】
【図５】
2007040392.tif 000022
【手続補正６】
【補正対象書類名】図面
【補正対象項目名】図６
【補正方法】変更
【補正の内容】
【図６】
2007040392.tif 000023
【手続補正７】
【補正対象書類名】図面
【補正対象項目名】図７
【補正方法】変更
【補正の内容】
【図７】
2007040392.tif 000024
【手続補正８】
【補正対象書類名】図面
【補正対象項目名】図８
【補正方法】変更
【補正の内容】
【図８】
2007040392.tif 000025
【手続補正９】
【補正対象書類名】図面
【補正対象項目名】図９
【補正方法】変更
【補正の内容】
【図９】
2007040392.tif 000026
【手続補正１０】
【補正対象書類名】図面
【補正対象項目名】図１０
【補正方法】変更
【補正の内容】
【図１０】
2007040392.tif 000027
【手続補正１１】
【補正対象書類名】図面
【補正対象項目名】図１１
【補正方法】変更
【補正の内容】
【図１１】
2007040392.tif 000028
【手続補正１２】
【補正対象書類名】図面
【補正対象項目名】図１２
【補正方法】変更
【補正の内容】
【図１２】
2007040392.tif 000029
【手続補正１３】
【補正対象書類名】図面
【補正対象項目名】図１３
【補正方法】変更
【補正の内容】
【図１３】
2007040392.tif 000030
【手続補正１４】
【補正対象書類名】図面
【補正対象項目名】図１４
【補正方法】変更
【補正の内容】
【図１４】
2007040392.tif 000031